(57)【要約】      （修正有）【課題】引き違い戸や片開き式の引戸錠に好適で、部品点数を低減し構成を簡潔化して小形軽量化と体裁の向上を図るとともに、閉扉時の自動施錠を速やかに実現し使用上の利便性と安全性を向上し、しかも防御能力を強化し得る引戸錠を提供する。【解決手段】引戸９の閉扉時における縦枠１７の内側の対向位置に支持枠２０５を配置し、縦枠１７と支持枠２０５にラッチ制御ボックスＬ1，Ｌ2を設け、ラッチ制御ボックスＬ1にカム軸７７を指示し、角孔７９に支持枠の内側からレバーハンドル３０の先端部と同軸の角芯棒２８を勘合し，縦枠１７の制御ボックスＬ2も同様に設けている。引き戸９の閉鎖時にラッチロック８４を角孔の内側に突出して施錠する。屋内側から解錠する場合はレバーハンドル３０を回動し、屋外側から解錠する場合は錠前２５を操作し、レバーハンドル２７を回動する。【選択図】図４６
2014012949.tif 000002
【特許請求の範囲】
【請求項１】
引戸の一側端部を形成する縦枠を設け、該引戸の閉扉時における縦枠の内外方向の対向位置に支持枠を配置し、前記引戸の移動を縦枠または支持枠に拘束可能にした引戸錠において、前記縦枠と支持枠の対向位置の内側にラッチ制御ボックスを配置し、該ラッチ制御ボックスの対向位置に開口部を設けるとともに、前記ラッチ制御ボックス内に回動カムを突設したカム軸を回動可能に設け、該カム軸の一側にレバ−ハンドルに連係する角芯棒を係合可能に装着し、前記カム軸にラッチキャッチまたはラッチロックの一端部を内外方向へ回動可能に支持し、前記カム軸の一端部をラッチキャッチまたはラッチロックの端部の係止爪に係合可能に配置し、前記係止爪とカム軸端部との係合を介してラッチキャッチとラッチロックを内外方向へ回動可能に設ける一方、前記ラッチキャッチとラッチロックの他端部を前記開口部に近接離反動可能に設け、該ラッチキャッチとラッチロックの他端部に互いに吸引可能なマグネットを配置し、前記ラッチキャッチまたはラッチロックの他端部を他方のラッチ制御ボックスの開口部内へ吸引移動可能に設け、前記引戸の拘束時、ラッチキャッチまたはラッチロックの他端部を前記開口縁部に係合可能に配置したことを特徴とする引戸錠。
【請求項２】
屋内外側に配置したレバ−ハンドルの回動操作に角芯棒を同動させて引戸を拘束し、または拘束を解除し開扉可能にした請求項１記載の引戸錠。
【請求項３】
前記一方の引戸を閉扉後、ラッチキャッチまたはラッチロックの他端部を他方のラッチ制御ボックス内のマグネットへ吸引移動し、前記他端部を前記開口縁部に係合し自動施錠可能にした請求項１記載の引戸錠。
【請求項４】
前記吸引移動したマグネットを他方のマグネットに吸着可能にした請求項１記載の引戸錠。
【請求項５】
前記引戸の拘束または拘束解除時、前記マグネットの吸着を介して、ラッチキャッチとラッチロックの変位を保持可能にした請求項１記載の引戸錠。
【請求項６】
前記ラッチ制御ボックスを磁気シ−ルドした請求項１記載の引戸錠。
【請求項７】
前記ラッチキャッチの側面形状を略逆Ｌ字形状、前記ラッチロックの側面形状を略Ｚ字形状に形成した請求項１記載の引戸錠。
【請求項８】
前記ラッチキャッチとラッチロックを各ラッチ制御ボックスの内側へ移動可能に付勢した請求項１記載の引戸錠。
【請求項９】
前記ラッチロックの付勢力をラッチキャッチの付勢力よりも大きく設定した請求項１記載の引戸錠。
【請求項１０】
前記ラッチキャッチおよびラッチロックを縦枠または支持枠内に配置した請求項１記載の引戸錠。
【請求項１１】
前記各ラッチ制御ボックス内のカム軸の回動カムを上向きまたは下向きに配置し、前記回動カムの直下または直上に前記係止爪を係合可能に配置し、ラッチキャッチまたはラッチロックを各制御ボックスの内側方向または外側方向へ回動可能に設けた請求項１記載の引戸錠。
【請求項１２】
互いに吸着可能なマグネットの吸着面積を相違させた請求項１記載の引戸錠。
【請求項１３】
前記マグネットの吸着面にメッキ被膜を形成した請求項１記載の引戸錠。
【請求項１４】
前記マグネットを強磁性体のビスを介して取付け、該ビスを吸着面に表出させた請求項１記載の引戸錠。
【請求項１５】
前記引戸の拘束時、前記係止爪とカム軸の端部を離間して配置した請求項１記載の引戸錠。
【請求項１６】
前記引戸の拘束解除時、ラッチキャッチとラッチロックのマグネットの吸着面を、前記開口縁部または縦枠と支持枠の間に配置した請求項１記載の引戸錠。
【請求項１７】
前記引戸の拘束解除後、引戸の移動を介して前記マグネットを引き離し可能にした請求項１記載の引戸錠。
【請求項１８】
前記引戸の開扉時、ラッチキャッチとラッチロックのマグネットの吸着面を、ラッチ制御ボックスの開口縁部または縦枠と支持枠の間に配置した請求項１６記載の引戸錠。
【請求項１９】
前記引戸の拘束解除時または開扉時、ラッチロックの他端部をラッチ制御ボックスの奥部内面に係合可能に配置した請求項１記載の引戸錠。
【請求項２０】
前記引戸の開扉時、ラッチキャッチのマグネットの吸着面をラッチ制御ボックスの開口部の後方に後退して配置した請求項１記載の引戸錠。
【請求項２１】
単一の引戸を屋外側に配置し、前記支持枠を屋内側に固定した請求項１記載の引戸錠。
【請求項２２】
二つの引戸を内外に引き違い移動可能に配置し、前記支持枠を他方の引戸の縦枠で構成した請求項１記載の引戸錠。
【請求項２３】
前記一または二つの引戸の縦枠に屋外または屋内側の角芯棒の作動を制御する錠前を設けた請求項１または請求項２２記載の引戸錠。
【請求項２４】
前記錠前をキーレス錠またはシリンダ錠で構成した請求項２３記載の引戸錠。
【請求項２５】
前記キーレス錠は、押圧操作によって暗証情報を入力および解除可能な複数のロックピンと、前記ロックピンと係脱可能な複数のロック孔を形成したロックプレ−トと、を備え、前記ロックピンの一部または全部に暗証情報入力して前記ロック孔に係合可能に設け、該暗証情報入力した前記ロックピンの暗証情報入力を解除して前記ロック孔との係合を解除し、前記ロックプレ−トをレバ−ハンドルの回動変位に連動可能にした請求項２４記載の引戸錠。
【請求項２６】
前記錠前の解錠後、屋外側のレバ−ハンドルの回動変位に屋外側の角芯棒を同動させてカム軸に伝達し、回動カムをラッチキャッチまたはラッチロックの係止爪に係合して、ラッチキャッチまたはラッチロックを回動し、屋外側の引戸を解錠ないし開扉可能にした請求項８、２０または請求項２２記載の引戸錠。
【請求項２７】
前記錠前の施錠時、屋内側のレバ−ハンドルの回動変位に屋内側の角芯棒を同動させてカム軸に伝達し、回動カムをラッチキャッチまたはラッチロックの係止爪に係合して、ラッチキャッチまたはラッチロックを回動し、屋内側の引戸を解錠ないし開扉可能にした請求項８、２０または請求項２２記載の引戸錠。
【請求項２８】
前記一方のラッチ制御ボックス内に配置したラッチロックの下端部にテ−ルを下方に突設し、該テ−ルの下方に第１係止片を備えたフックを上下に回動可能に設け、該フックを上方のラッチロックに係合可能に配置し、施錠時に前記第１係止片を他方のラッチ制御ボックスの下側の開口縁部に係合可能に配置し、前記マグネットの吸着ないし施錠動作を保持可能にした請求項１記載の引戸錠。
【請求項２９】
解錠時に前記第１および第２係止片とラッチロックを一方のラッチ制御ボックス内に収容可能にした請求項２８記載の引戸錠。
【請求項３０】
前記第１係止片を、前記他方のラッチ制御ボックスの下側の開口縁部に常時は離間して配置した請求項２８記載の引戸錠。
【請求項３１】
前記フックの第１係止片の他側に第２係止片を設け、該第２係止片を前記テ−ルに係合可能に配置した請求項２８記載の引戸錠。
【請求項３２】
施錠時、前記テ−ルを前記フックと第２係止片に係合可能にした請求項３１記載の引戸錠。
【請求項３３】
内外の引戸の微小間隔の建て付け時、または引戸の一方または双方の近接変位操作時、前記テ−ルをフックと第２係止片に係合可能にした請求項３２記載の引戸錠。
【請求項３４】
施錠時、前記ラッチロックのマグネット収容ボスの外周部を、他方のラッチ制御ボックスの上側の開口縁部と係合可能にした請求項２８記載の引戸錠。
【請求項３５】
施錠時、第１係止片を前記他方のラッチ制御ボックスの下側の開口縁部と係合可能に配置した請求項３４記載の引戸錠。
【発明の詳細な説明】
【技術分野】
【０００１】
本発明は、例えば家庭や工場、事務所や駅舎内の引き違い戸や片開き式の引戸錠に好適で、部品点数を低減し構成を簡潔化して小形軽量化と体裁の向上を図るとともに、閉扉時の自動施錠を速やかに実現し使用上の利便性と安全性を向上し、しかも防御能力を強化し得る引戸錠に関する。
【背景技術】
【０００２】
従来の引戸錠として、内側の引戸の縦框の中高位置にシリンダ錠を取付け、該シリンダ錠のロータと同動可能な鎖錠ロッドの先端に円盤状の係合部を設け、該係合部を受け板の係合孔と、外側の引戸の縦框の中高位置に形成した係合孔に進退可能に設け、施錠時にシリンダ錠にキ−を差し込み、これを軸周りに回動して係合部を係合孔の外側の口縁部に係合し、内外側の引戸を施錠するようにしたものがある（例えば、特許文献１参照）。
【０００３】
しかし、前記引戸錠は、引戸を例えばペットが出入り可能な一定の狭小幅に開放した状態で施錠するため、人の出入りは阻止し得ても開放部からの悪戯や風雨の侵入を防止することができず、施錠時の保安に不安があるとともに、引戸の施解錠にキ−操作をいちいち要して煩わしいという問題があった。
【０００４】
また、別の引戸錠として、引戸の一方に受け金具を取付け、該受け金具に錠本体を取付け、該錠本体の厚みによって他方の戸の開放を阻止するとともに、受け金具にガイド溝と掛止部を設け、また錠本体に掛止部と係合可能なラッチ片と二組の押釦機構、および施錠リングと押釦式錠機構を設け、施錠リングの番手部にラッチ片の当接部を係合し、暗証番号に対応して押釦を押圧操作し解錠するようにしたものがある（例えば、特許文献２参照）。
【０００５】
しかし、前記引戸錠は、構成が複雑で部品点数が多く、製作や組み付けに手間が掛かって高価になるという問題があった。
【０００６】
このような問題を解決するものとして、引戸の戸先框に出退部材を突出可能に付勢し、該出退部材の出退動作に伴なって突出する掛け金を戸先框に設け、前記掛け金を枠体に備えた係止部に掛け止め可能に設けるとともに、掛け金を係止解除側への操作を阻止するロック部材を設け、該ロック部材を室外側から操作するりシリンダ錠とロック部材とに連動させ、室内または室外から施解錠可能にした引戸錠がある（例えば、特許文献３参照）。
【０００７】
しかし、前記引戸錠は構成が複雑で部品点数が多く、製作や組み付けに手間が掛かって高価になり、また掛け金の係止機構に多数の部品とその設置スペ−スを要して大形重量化するとともに、開扉後、掛け金が引戸の端面から突出しているため、掛け金に衣服が引掛かって破損させたり身体に接触して怪我をさせる等の問題があった。
【０００８】
このような問題を解決するものとして、略Ｌ字形状のマグネット機構を錠箱に回動可能に支持し、常時はバネによって内側へ回動可能に付勢し、磁石面を外側に露出する一方、閉扉時は扉枠に設けた磁石に吸着されて外側へ回動し、デッドボルトを錠箱から突出可能にし、前記マグネット機構は開扉時に扉枠から離反して内側へ回動し、摺動部材と係合して摺動部材の扉枠への移動を阻止し、シャトル板を外側へ移動させ、第２のレバ−部材を回動させてデッドボルトを錠箱内に完全に後退させるようにした錠前がある（例えば、特許文献４参照）。
【０００９】
しかし、前記錠前は、構成が複雑で部品点数が多く、製作や組み付けに手間が掛かって高価になるとともに、大形重量化して引戸の狭隘な扉枠に収納することが難しい上に、磁石の磁力が経年的に減衰し、開扉時におけるデッドボルの後退変位が低下して、所期の効果を得られなくなる等の問題があった。
【００１０】
ところで、出願人は、電気的または電子的に作動する錠前を廃除し、全ての構成を機械的に連繋させて防御能力を強化し、非常時に有効に機能し得る、キーレスタイプのボタン錠を種々開発し提案している。
例えば前記ボタン錠は、暗証情報を入力する複数の押しボタンと、該押しボタンに同動するロックピンと、該ロックピンと係脱してロックおよびアンロック作動するキ−プレ−トとを備え、前記押しボタンに暗証情報を入力かつ記憶させて施錠し、該押しボタンを暗証情報を基に押圧してキ−プレ−トとの係合を解除し、解錠可能にしている（例えば、特許文献５参照）。
【００１１】
しかし、前記ボタン錠は、ドアの内外に取付けるケースハウジングが長尺で大形重量化し、引戸の円滑な作動が損なわれるとともに、体裁が悪く狭隘な扉枠に対する取付けが困難になる一方、ドアの内部に内外のレバ−ハンドルの作動に連係する堅牢な本締錠を要し、該本締錠に回動カムとデットボルトを組み込んでいるため、引戸の重量増とコスト高を助長する等の問題があった。
【先行技術文献】
【特許文献】
【００１２】
【特許文献１】特許第３０６９５５２号公報
【特許文献２】特許第３３４３６５４号公報
【特許文献３】特開２００７−１８２６７４号公報
【特許文献４】特開平７−１０２８４１号公報
【特許文献５】特許第３６４８０４３号公報
【発明の開示】
【発明が解決しようとする課題】
【００１３】
本発明はこのような問題を解決し、例えば家庭や工場、事務所や駅舎内の引き違い戸や片開き式の引戸錠に好適で、部品点数を低減し構成を簡潔化して小形軽量化と体裁の向上を図るとともに、閉扉時の自動施錠を速やかに実現し使用上の利便性と安全性を向上し、しかも防御能力を強化し得る引戸錠を提供することを目的とする。
【課題を解決するための手段】
【００１４】
請求項１の発明は、引戸の一側端部を形成する縦枠を設け、該引戸の閉扉時における縦枠の内外方向の対向位置に支持枠を配置し、前記引戸の移動を縦枠または支持枠に拘束可能にした引戸錠において、前記縦枠と支持枠の対向位置の内側にラッチ制御ボックスを配置し、該ラッチ制御ボックスの対向位置に開口部を設けるとともに、前記ラッチ制御ボックス内に回動カムを突設したカム軸を回動可能に設け、該カム軸の一側にレバ−ハンドルに連係する角芯棒を係合可能に装着し、前記カム軸にラッチキャッチまたはラッチロックの一端部を内外方向へ回動可能に支持し、前記カム軸の一端部をラッチキャッチまたはラッチロックの端部の係止爪に係合可能に配置し、前記係止爪とカム軸端部との係合を介してラッチキャッチとラッチロックを内外方向へ回動可能に設ける一方、前記ラッチキャッチとラッチロックの他端部を前記開口部に近接離反動可能に設け、該ラッチキャッチとラッチロックの他端部に互いに吸引可能なマグネットを配置し、前記ラッチキャッチまたはラッチロックの他端部を他方のラッチ制御ボックスの開口部内へ吸引移動可能に設け、前記引戸の拘束時、ラッチキャッチまたはラッチロックの他端部を前記開口縁部に係合可能に配置し、屋内外側に配置した各ラッチ制御ボックス内の回動カムとラッチキャッチまたはラッチロックによって、引戸の移動ないし開閉を拘束可能にし、従来のような高価かつ堅牢な本締錠または錠前を要することなく、低廉で構成の簡潔化と小形軽量化と体裁の向上を図れるようにしている。
【００１５】
請求項２の発明は、屋内外側に配置したレバ−ハンドルの回動操作に角芯棒を同動させて引戸を拘束し、または拘束を解除し開扉可能にし、屋内外側のレバ−ハンドルの回動操作によって、引戸の実質的な施解錠を実現可能にしている。
請求項３の発明は、一方の引戸を閉扉後、ラッチキャッチまたはラッチロックの他端部を他方のラッチ制御ボックス内のマグネットへ吸引移動し、前記他端部を前記開口縁部に係合して自動施錠可能にし、閉扉後の安全性を速やかに確保し得るようにしている。
請求項４の発明は、吸引移動したマグネットを他方のマグネットに吸着可能にし、吸引移動したラッチキャッチまたはラッチロックを吸着保持し、それらと開口縁部との係合を強化して、引戸の移動ないし開閉の拘束を強化し得るようにしている。
請求項５の発明は、引戸の拘束または拘束解除時、前記マグネットの吸着を介して、ラッチキャッチとラッチロックの変位を保持可能にし、引戸の安定した拘束状態と拘束解除状態を保持可能にしている。
請求項６の発明は、ラッチ制御ボックスを磁気シ−ルドし、マグネットの磁力の漏洩を防止し、長期に亘って安定した吸着作動と引戸の開閉状態を得られるようにしている
【００１６】
請求項７の発明は、ラッチキャッチの側面形状を略逆Ｌ字形状、前記ラッチロックの側面形状を略Ｚ字形状に形成し、それらの組み立て上の誤りを防止するとともに、ラッチロックによる引戸の安定した拘束状態を得られるようにしている。
請求項８の発明は、ラッチキャッチとラッチロックを各ラッチ制御ボックスの内側へ移動可能に付勢し、ラッチキャッチとラッチロックの他端部のマグネットをラッチ制御ボックスの内側へ移動し、マグネット同士の不要な吸着を排除し、引戸の安定した開閉状態を得られるようにしている。
請求項９の発明は、ラッチロックの付勢力をラッチキャッチの付勢力よりも大きく設定し、ラッチロックの他端部を支持枠の開口縁部に確実に係合させ、引戸の安定した拘束状態を得られるようにしている。
請求項１０の発明は、ラッチキャッチおよびラッチロックを縦枠または支持枠内に配置し、それらの組み付けの多様化を図るようにしている。
【００１７】
請求項１１の発明は、各ラッチ制御ボックス内のカム軸の回動カムを上向きまたは下向きに配置し、前記回動カムの直下または直上に前記係止爪を係合可能に配置し、ラッチキャッチまたはラッチロックを各制御ボックスの内側方向または外側方向へ回動可能に設け、屋内または屋外側のレバ−ハンドルの回動力を角芯棒を経由してカム軸および回動カムに伝え、ラッチキャッチまたはラッチロックを互いに異方向へ回動して、屋内外から引戸の拘束と拘束解除および開扉を実現可能にしている。
請求項１２の発明は、互いに吸着可能なマグネットの吸着面積を相違させ、マグネットの組み付け上の誤りを防止するとともに、カム軸やラッチキャッチまたはラッチロックの加工誤差と組み付け誤差を補償し得るようにしている。
請求項１３の発明は、マグネットの吸着面にメッキ被膜を形成し、マグネットの吸着面を平滑にし、マグネットの吸着時や引き離し時における磨耗を防止し、マグネットの吸着作動と引き離し作動を円滑に行なうようにしている。
【００１８】
請求項１４の発明は、マグネットを強磁性体のビスを介して取付け、該ビスを吸着面に表出させて、マグネットの磁力線をビスに収束させて拡散を防止し、効率の良い安定した磁界を形成するようにしている。
請求項１５の発明は、引戸の拘束時、前記係止爪とカム軸の端部を離間して配置し、レバ−ハンドルの回動変位が一定以下の場合、引戸の拘束解除および開扉を阻止し、引戸の確実な開閉作動を得られるようにしている。
請求項１６の発明は、引戸の拘束解除時、ラッチキャッチとラッチロックのマグネットの吸着面を、前記開口縁部または縦枠と支持枠の間に配置し、この後の引戸の開扉を確実かつ安全に実行可能にしている。
請求項１７の発明は、引戸の拘束解除後、引戸の移動を介して前記マグネットを引き離し可能にし、引戸を確実かつ安全に開扉し得るようにしている。
請求項１８の発明は、引戸の開扉時、ラッチキャッチとラッチロックのマグネットの吸着面を、ラッチ制御ボックスの開口縁部または縦枠と支持枠の間に配置し、引戸を確実かつ安全に開扉し得るようにしている。
【００１９】
請求項１９の発明は、引戸の拘束解除時または開扉時、ラッチロックの他端部をラッチ制御ボックスの奥部内面に係合可能に配置し、ラッチロックの後退変位を阻止して、ラッチキャッチの吸引移動による引戸の拘束を防止するようにしている。
請求項２０の発明は、引戸の開扉時、ラッチキャッチのマグネットの吸着面をラッチ制御ボックスの開口部の後方に後退して配置し、ラッチキャッチのラッチロックに対する吸引移動を防止するようにしている。
請求項２１の発明は、単一の引戸を屋外側に配置し、前記支持枠を屋内側に固定し、一本引きの引戸の開閉をレバ−ハンドルの操作によって実現可能にしている。
請求項２２の発明は、二つの引戸を内外に引き違い移動可能に配置し、前記支持枠を他方の引戸の縦枠で構成し、相対する縦枠によって二つの引戸の開閉を拘束し得るようにしている。
【００２０】
請求項２３の発明は、一または二つの引戸の縦枠に屋外または屋内側の角芯棒の作動を制御する錠前を設け、錠前の施解錠に引戸の開閉を連係し、引戸の開閉の安全を確保するようにしている。
請求項２４の発明は、錠前をキーレス錠またはシリンダ錠で構成し、キーレス錠によって引戸の防御能力を強化するとともに、シリンダ錠によって引戸の防護能力を安価かつ容易に向上し得るようにしている。
請求項２５の発明は、キーレス錠は、押圧操作によって暗証情報を入力および解除可能な複数のロックピンと、前記ロックピンと係脱可能な複数のロック孔を形成したロックプレ−トと、を備え、前記ロックピンの一部または全部に暗証情報入力して前記ロック孔に係合可能に設け、該暗証情報入力した前記ロックピンの暗証情報を解除して前記ロック孔との係合を解除し、前記ロックプレ−トをレバ−ハンドルの回動変位に連動可能にして、キ−に代わる複数のロックピンに暗証情報を入力して引戸を施錠し、暗証情報入力解除時に解錠して引戸を開扉可能にし、高い防御性能を形成して使用上の安全を確保するようにしている。
【００２１】
請求項２６の発明は、錠前の解錠後、屋外側のレバ−ハンドルの回動変位に屋外側の角芯棒を同動させてカム軸に伝達し、回動カムをラッチキャッチまたはラッチロックの係止爪に係合して、ラッチキャッチまたはラッチロックを回動し、屋外側の引戸を解錠ないし開扉可能にし、屋外側から安全に引戸を開扉し得るようにしている。
請求項２７の発明は、錠前の施錠時、屋内側のレバ−ハンドルの回動変位に屋内側の角芯棒を同動させてカム軸に伝達し、回動カムをラッチキャッチまたはラッチロックの係止爪に係合して、ラッチキャッチまたはラッチロックを回動し、屋内側の引戸を解錠ないし開扉可能にし、屋内側から安全に引戸を開扉し得るようにしている。
【００２２】
請求項２８の発明は、一方のラッチ制御ボックス内に配置したラッチロックの下端部にテ−ルを下方に突設し、該テ−ルの下方に第１係止片を備えたフックを上下に回動可能に設け、該フックを上方のラッチロックに係合可能に配置し、施錠時に前記第１係止片を他方のラッチ制御ボックスの下側の開口縁部に係合可能に配置し、前記マグネットの吸着ないし施錠動作を保持可能にして、施錠時に一方または両方の引戸が悪戯または不正操作された際の前後方向の変位を規制し、マグネットの吸着ないし施錠動作を保持させて、施錠時における防御機能を強化するようにしている。
請求項２９の発明は、解錠時に前記第１および第２係止片とラッチロックを一方のラッチ制御ボックス内に収容可能にし、マグネットの吸着を容易に引き離し可能にして、この後の引戸の開扉を円滑かつ容易に行なえるようにしている。
請求項３０の発明は、第１係止片を、前記他方のラッチ制御ボックスの下側の開口縁部に常時は離間して配置し、引戸の建て付け状態に応じて引戸の前後方向への移動を可能にし、引戸の建て付け不良に対応し得るとともに、引戸の不正操作ないし悪戯に対応し得るようにしている。
【００２３】
請求項３１の発明は、フックの第１係止片の他側に第２係止片を設け、該第２係止片を前記テ−ルに係合可能に配置し、ラッチロックの揺動角度を規制し、その安定した位置と姿勢を保持し得るようにしている。
請求項３２の発明は、施錠時、前記テールをフックと第２係止片に係合可能にし、施錠時におけるラッチロックとラッチキャッチの安定した位置と姿勢を確保し、マグネットの確実かつ安定した吸着と施錠動作を確保し得るようにしている。
請求項３３の発明は、内外の引戸の間隔が微小な建て付け不良時、または引戸の一方または双方の近接変位操作時、前記テ−ルをフックと第２係止片に係合可能にし、引戸の建て付け不良時や不正操作にマグネットの吸着ないし施錠動作を確保し、施錠時における防御機能を強化するようにしている。
【００２４】
請求項３４の発明は、施錠時、前記ラッチロックのマグネット収容ボスの外周部を、他方のラッチ制御ボックスの上側の開口縁部と係合可能にし、引戸の不正な上動操作による脱出を阻止し、マグネットの吸着ないし施錠動作を確保して、施錠時における防御機能を強化するようにしている。
請求項３５の発明は、施錠時、第１係止片を前記他方のラッチ制御ボックスの下側の開口縁部と係合可能に配置し、引戸の前後方向への脱出を阻止し、マグネットの吸着ないし施錠動作を確保して、施錠時における防御機能を強化するようにしている。
【発明の効果】
【００２５】
請求項１の発明は、縦枠と支持枠の対向位置の内側にラッチ制御ボックスを配置し、該ラッチ制御ボックスの対向位置に開口部を設けるとともに、前記ラッチ制御ボックス内に回動カムを突設したカム軸を回動可能に設け、該カム軸の一側にレバ−ハンドルに連係する角芯棒を係合可能に装着し、前記カム軸にラッチキャッチまたはラッチロックの一端部を内外方向へ回動可能に支持し、前記カム軸の一端部をラッチキャッチまたはラッチロックの端部の係止爪に係合可能に配置し、前記係止爪とカム軸端部との係合を介してラッチキャッチとラッチロックを内外方向へ回動可能に設ける一方、前記ラッチキャッチとラッチロックの他端部を前記開口部に近接離反動可能に設け、該ラッチキャッチとラッチロックの他端部に互いに吸引可能なマグネットを配置し、前記ラッチキャッチまたはラッチロックの他端部を他方のラッチ制御ボックスの開口部内へ吸引移動可能に設け、前記引戸の拘束時、ラッチキャッチまたはラッチロックの他端部を前記開口縁部に係合可能に配置したから、屋内外側に配置した各ラッチ制御ボックス内の回動カムとラッチキャッチまたはラッチロックによって、引戸の移動ないし開閉を拘束可能にし、従来のような高価かつ堅牢な本締錠または錠前を要することなく、低廉で構成の簡潔化と小形軽量化と体裁の向上を図ることができる。
【００２６】
請求項２の発明は、屋内外側に配置したレバ−ハンドルの回動操作に角芯棒を同動させて引戸を拘束し、または拘束を解除し開扉可能にしたから、屋内外側のレバ−ハンドルの回動操作によって、引戸の実質的な施解錠を実現することができる。
請求項３の発明は、一方の引戸を閉扉後、ラッチキャッチまたはラッチロックの他端部を他方のラッチ制御ボックス内のマグネットへ吸引移動し、前記他端部を前記開口縁部に係合して自動施錠可能にしたから、閉扉後の安全性を速やかに確保することができる。
請求項４の発明は、吸引移動したマグネットを他方のマグネットに吸着可能にしたから、吸引移動したラッチキャッチまたはラッチロックを吸着保持し、それらと開口縁部との係合を強化して、引戸の移動ないし開閉の拘束を強化することができる。
請求項５の発明は、引戸の拘束または拘束解除時、前記マグネットの吸着を介して、ラッチキャッチとラッチロックの変位を保持可能にしたから、引戸の安定した拘束状態と拘束解除状態を保持することができる。
請求項６の発明は、ラッチ制御ボックスを磁気シ−ルドしたから、マグネットの磁力の漏洩を防止し、長期に亘って安定した吸着作動と引戸の開閉状態を得ることができる
【００２７】
請求項７の発明は、ラッチキャッチの側面形状を略逆Ｌ字形状、前記ラッチロックの側面形状を略Ｚ字形状に形成したから、それらの組み立て上の誤りを防止するとともに、ラッチロックによる引戸の安定した拘束状態を得られる効果がある。
請求項８の発明は、ラッチキャッチとラッチロックを各ラッチ制御ボックスの内側へ移動可能に付勢したから、ラッチキャッチとラッチロックの他端部のマグネットをラッチ制御ボックスの内側へ移動し、マグネット同士の不要な吸着を排除し、引戸の安定した開閉状態を得られる効果がある。
請求項９の発明は、ラッチロックの付勢力をラッチキャッチの付勢力よりも大きく設定し、ラッチロックの他端部を支持枠の開口縁部に確実に係合させ、引戸の安定した拘束状態を得ることができる。
請求項１０の発明は、ラッチキャッチおよびラッチロックを縦枠または支持枠内に配置したから、それらの組み付けの多様化を図ることができる。
【００２８】
請求項１１の発明は、各ラッチ制御ボックス内のカム軸の回動カムを上向きまたは下向きに配置し、前記回動カムの直下または直上に前記係止爪を係合可能に配置し、ラッチキャッチまたはラッチロックを各制御ボックスの内側方向または外側方向へ回動可能に設けたから、屋内または屋外側のレバ−ハンドルの回動力を角芯棒を経由してカム軸および回動カムに伝え、ラッチキャッチまたはラッチロックを互いに異方向へ回動して、屋内外から引戸の拘束と拘束解除および開扉を実現することができる。
請求項１２の発明は、互いに吸着可能なマグネットの吸着面積を相違させたから、マグネットの組み付け上の誤りを防止するとともに、カム軸やラッチキャッチまたはラッチロックの加工誤差と組み付け誤差を補償することができる。
請求項１３の発明は、マグネットの吸着面にメッキ被膜を形成したから、マグネットの吸着面を平滑にし、マグネットの吸着時や引き離し時における磨耗を防止し、マグネットの吸着作動と引き離し作動を円滑に行なうことができる。
【００２９】
請求項１４の発明は、マグネットを強磁性体のビスを介して取付け、該ビスを吸着面に表出させたから、マグネットの磁力線をビスに収束させて拡散を防止し、効率の良い安定した磁界を形成することができる。
請求項１５の発明は、引戸の拘束時、前記係止爪とカム軸の端部を離間して配置したから、レバ−ハンドルの回動変位が一定以下の場合、引戸の拘束解除および開扉を阻止し、引戸の確実な開閉作動を得られる効果ある。
請求項１６の発明は、引戸の拘束解除時、ラッチキャッチとラッチロックのマグネットの吸着面を、前記開口縁部または縦枠と支持枠の間に配置したから、この後の引戸の開扉を確実かつ安全に実行することができる。
請求項１７の発明は、引戸の拘束解除後、引戸の移動を介して前記マグネットを引き離し可能にしたから、引戸を確実かつ安全に開扉することができる。
請求項１８の発明は、引戸の開扉時、ラッチキャッチとラッチロックのマグネットの吸着面を、ラッチ制御ボックスの開口縁部または縦枠と支持枠の間に配置したから、引戸を確実かつ安全に開扉することができる。
【００３０】
請求項１９の発明は、引戸の拘束解除時または開扉時、ラッチロックの他端部をラッチ制御ボックスの奥部内面に係合可能に配置したから、ラッチロックの後退変位を阻止し、ラッチキャッチの吸引移動による引戸の拘束を防止することができる。
請求項２０の発明は、引戸の開扉時、ラッチキャッチのマグネットの吸着面をラッチ制御ボックスの開口部の後方に後退して配置したから、ラッチキャッチのラッチロックに対する吸引移動を防止することができる。
請求項２１の発明は、単一の引戸を屋外側に配置し、前記支持枠を屋内側に固定したから、一本引きの引戸の開閉をレバ−ハンドルの操作によって実現することができる。
請求項２２の発明は、二つの引戸を内外に引き違い移動可能に配置し、前記支持枠を他方の引戸の縦枠で構成したから、相対する縦枠によって二つの引戸の開閉を拘束することができる。
【００３１】
請求項２３の発明は、一または二つの引戸の縦枠に屋外または屋内側の角芯棒の作動を制御する錠前を設けたから、錠前の施解錠に引戸の開閉を連係し、引戸の開閉の安全を確保することができる。
請求項２４の発明は、錠前をキーレス錠またはシリンダ錠で構成したから、キーレス錠によって引戸の防御能力を強化できるとともに、シリンダ錠によって引戸の防護能力を安価かつ容易に向上することができる。
請求項２５の発明は、キーレス錠は、押圧操作によって暗証情報を入力および解除可能な複数のロックピンと、前記ロックピンと係脱可能な複数のロック孔を形成したロックプレ−トと、を備え、前記ロックピンの一部または全部に暗証情報入力して前記ロック孔に係合可能に設け、該暗証情報入力した前記ロックピンの暗証情報を解除して前記ロック孔との係合を解除し、前記ロックプレ−トをレバ−ハンドルの回動変位に連動可能にしたから、キ−に代わる複数のロックピンに暗証情報を入力して引戸を施錠し、暗証情報入力解除時に解錠して引戸を開扉可能にし、高い防御性能を形成して使用上の安全を確保することができる。
【００３２】
請求項２６の発明は、錠前の解錠後、屋外側のレバ−ハンドルの回動変位に屋外側の角芯棒を同動させてカム軸に伝達し、回動カムをラッチキャッチまたはラッチロックの係止爪に係合して、ラッチキャッチまたはラッチロックを回動し、屋外側の引戸を解錠ないし開扉可能にしたから、屋外側から安全に引戸を開扉することができる。
請求項２７の発明は、錠前の施錠時、屋内側のレバ−ハンドルの回動変位に屋内側の角芯棒を同動させてカム軸に伝達し、回動カムをラッチキャッチまたはラッチロックの係止爪に係合して、ラッチキャッチまたはラッチロックを回動し、屋内側の引戸を解錠ないし開扉可能にしたから、屋内側から安全に引戸を開扉することができる。
【００３３】
請求項２８の発明は、一方のラッチ制御ボックス内に配置したラッチロックの下端部にテ−ルを下方に突設し、該テ−ルの下方に第１係止片を備えたフックを上下に回動可能に設け、該フックを上方のラッチロックに係合可能に配置し、施錠時に前記第１係止片を他方のラッチ制御ボックスの下側の開口縁部に係合可能に配置したから、前記マグネットの吸着ないし施錠動作を保持可能にし、施錠時に一方または両方の引戸が悪戯または不正操作された際の前後方向の変位を規制し、マグネットの吸着ないし施錠動作を保持させて、施錠時における防御機能を強化することができる。
請求項２９の発明は、解錠時に前記第１および第２係止片とラッチロックを一方のラッチ制御ボックス内に収容可能にしたから、マグネットの吸着を容易に引き離し可能にして、この後の引戸の開扉を円滑かつ容易に行なうことができる。
請求項３０の発明は、第１係止片を、前記他方のラッチ制御ボックスの下側の開口縁部に常時は離間して配置したから、引戸の建て付け状態に応じて引戸の前後方向への移動を可能にし、引戸の建て付け不良に対応し得るとともに、引戸の不正操作ないし悪戯に対応することができる。
【００３４】
請求項３１の発明は、フックの第１係止片の他側に第２係止片を設け、該第２係止片を前記テ−ルに係合可能に配置したから、ラッチロックの揺動角度を規制し、その安定した位置と姿勢を保持することができる。
請求項３２の発明は、施錠時、前記テールをフックと第２係止片に係合可能にしたから、施錠時におけるラッチロックとラッチキャッチの安定した位置と姿勢を確保し、マグネットの確実かつ安定した吸着と施錠動作を確保することができる。
請求項３３の発明は、内外の引戸の間隔が微小な建て付け不良時、または引戸の一方または双方の近接変位操作時、前記テ−ルをフックと第２係止片に係合可能にしたから、引戸の建て付け不良時や不正操作にマグネットの吸着ないし施錠動作を確保し、施錠時における防御機能を強化することができる。
【００３５】
請求項３４の発明は、施錠時、前記ラッチロックのマグネット収容ボスの外周部を、他方のラッチ制御ボックスの上側の開口縁部と係合可能にしたから、引戸の不正な上動操作による脱出を阻止し、マグネットの吸着ないし施錠動作を確保して、施錠時における防御機能を強化することができる。
請求項３５の発明は、施錠時、第１係止片を前記他方のラッチ制御ボックスの下側の開口縁部と係合可能に配置したから、引戸の前後方向への脱出を阻止し、マグネットの吸着ないし施錠動作を確保して、施錠時における防御機能を強化することができる。
【図面の簡単な説明】
【００３６】
【図１】本発明を引き違い戸に適用した正面図で、内外の引戸の閉扉状態を示している。
【図２】図１の屋外側の要部を拡大して示す正面図である。
【図３】図１の屋内側の要部を拡大して示す正面図である。
【図４】図１のＡ−Ａ線に沿う拡大断面図で、内外の引戸の施錠状態を示している。  ある。
【図５】本発明に適用したラッチ制御ボックスの要部を分解して示す斜視図である。
【００３７】
【図６】（ａ）は本発明に適用したラッチロックの正面図、同図（ｂ）は同図（ａ）のＢ−Ｂ線に沿う断面図である。
【図７】（ａ）は本発明に適用したラッチキャッチの正面図、同図（ｂ）は同図（ａ）のＣ−Ｃ線に沿う断面図である。
【図８】（ａ）は本発明に適用したラッチキャッチの施錠時における回動カムと係止爪の状況を拡大して示す断面図、同図（ｂ）は本発明に適用したラッチロックの施錠時における回動カムと係止爪の状況を拡大して示す断面図である。
【００３８】
【図９】（ａ）は本発明に適用したラッチ制御ボックス内のラッチキャッチとラッチロックの施錠後の状況を拡大して示す断面図、同図（ｂ）は施錠後に屋内側のレバ−ハンドルをθ1回動した際のラッチキャッチの状況を拡大して示す断面図である。
【図１０】（ａ）は本発明に適用したラッチ制御ボックス内のラッチキャッチとラッチロックの施錠後の状況を拡大して示す断面図、同図（ｂ）は施錠後に屋内側のレバ−ハンドルをθ2（θ1＜θ2）回動した際のラッチキャッチの状況を拡大して示す断面図である。
【図１１】（ａ）は本発明に適用したラッチキャッチの解錠時の状況を拡大して示す断面図で、屋内側のレバ−ハンドルをθ3（θ2＜θ3）回動しており、同図（ｂ）は屋外側のレバ−ハンドルをφ3（θ2＜θ3）回動した際の解錠時の状況を拡大して示す断面図である。
【００３９】
【図１２】本発明に適用したラッチ制御ボックス内のラッチキャッチとラッチロックの解錠時の状況を拡大して示す断面図である。
【図１３】（ａ）は本発明に適用したラッチ制御ボックス内のラッチキャッチとラッチロックの施錠後の状況を拡大して示す断面図、同図（ｂ）は施錠後に屋外側のレバ−ハンドルをφ1回動した際の同図（ａ）におけるラッチロックの状況を拡大して示す断面図である。
【図１４】（ａ）は本発明に適用したラッチ制御ボックス内のラッチキャッチとラッチロックの施錠後の状況を拡大して示す断面図、同図（ｂ）は施錠後に屋外側のレバ−ハンドルをφ2（φ2＜φ3）回動した際の同図（ａ）におけるラッチロックの状況を拡大して示す断面図である。
【００４０】
【図１５】本発明に適用したラッチ制御ボックス内のラッチキャッチとラッチロックの開扉時の状況を拡大して示す断面図である。
【図１６】本発明に適用した屋内側のレバ−ハンドルをθ4（φ3＜φ4）回動した際の開扉時の状況を拡大して示す断面図、同図（ｂ）は屋外側のレバ−ハンドルをφ4（φ3＜φ4）回動した際のラッチロックの状況を示す拡大断面図である。
【００４１】
【図１７】本発明の屋外側に設置したキーレス錠を分解して示す斜視図である。
【図１８】図１７のキーレス錠の要部を拡大して示す斜視図である。
【図１９】本発明の屋外側に設置したキーレス錠の要部を拡大して示す斜視図である
【図２０】（ａ）は図１７のキーレス錠に適用したリセット板とリセット押え板を拡大して示す斜視図、同図（ｂ）は（ａ）のＤ−Ｄ線に沿う拡大断面図である。
【図２１】図１７のキーレス錠に適用したボタン押え板を拡大して示す正面図である
【００４２】
【図２２】図２１の裏面図である。
【図２３】図２２のＥ−Ｅ線に沿う拡大断面図である。
【図２４】図１７のキーレス錠に適用したロックプレ−トを拡大して示す正面図である。
【図２５】図１７のキーレス錠に適用したリセット板を拡大して示す正面図である。
【図２６】（ａ）は図１７のキーレス錠に適用した１列側に配置のロックピンの暗証入力時の状況を示す斜視図、（ｂ）は本発明に適用した２列側に配置のロックピンの暗証入力時の状況を示す斜視図である。
【００４３】
【図２７】図１７のキーレス錠に適用したロックピンを拡大した正面図である。
【図２８】図２７の右側面図である。
【図２９】図２７のＦ−Ｆ線に沿う拡大断面図である。
【図３０】図２７のＧ−Ｇ線に沿う拡大断面図である。
【図３１】図１７のキーレス錠の暗証情報入力時の状況をカバ−プレ−トの表面から見た正面図である。
【００４４】
【図３２】図３１のＨ−Ｈ線に沿う拡大断面図である。
【図３３】図３１のＩ−Ｉ線に沿う拡大断面図である。
【図３４】図３１のＪ−Ｊ線に沿う拡大断面図である。
【図３５】図３１のＨ−Ｈ線に沿うロックピンの解錠時の拡大断面図である。
【図３６】図３１のＩ−Ｉ線に沿うロックピンの解錠時の拡大断面図である。
【図３７】図３１のＪ−Ｊ線に沿うロックピンの解錠直後の拡大断面図とロックプレートを示している。
【図３８】図３１のＪ−Ｊ線に沿うロックピンの解錠後の拡大断面図とロックプレートを示し、屋外側のレバ−ハンドルを回動操作している。
【００４５】
【図３９】図１７のキーレス錠に適用したクリアピンとリセット板の組み付け状況を拡大して示している。
【図４０】図１７のキーレス錠に適用したクリアピンを示す斜視図である。
【図４１】図４０のクリアピンの正面図である。
【図４２】図４１の右側面図である。
【図４３】本発明に適用した室外側のレバ−ハンドルの組み付け状況を分解して示す斜視図である。
【００４６】
【図４４】本発明の第２の実施形態を示す断面図で、内外の縦枠にラッチロックとラッチキャッチを入れ換え、その施錠状態を示している。
【図４５】本発明の第３の実施形態を示す正面図で、屋内側に支持枠を立設し、この支持枠と縦枠とで単一の引戸を開閉している。
【図４６】図４５のＫ−Ｋ線に沿う拡大断面図である。
【図４７】本発明の第４の実施形態を示す正面図で、引き違い戸の錠前としてシリンダ錠を用いている。
【図４８】図４７のＬ−Ｌ線に沿う拡大断面図である。
【図４９】前記シリンダ錠の要部を分解して示す斜視図である。
【００４７】
【図５０】本発明の第５の実施形態を示す断面図で、内外の引戸の施錠状態を拡大して示している。
【図５１】（ａ）は前記第５の実施形態に適用したラッチキャッチの斜視図、（ｂ）は前記ラッチキャッチの正面図、（ｃ）は前記（ｂ）のＭ−Ｍ線に沿う断面図である
【図５２】（ａ）は前記第５の実施形態に適用したラッチロックの斜視図、（ｂ）は前記ラッチロックの正面図、（ｃ）は前記（ｂ）のＮ−Ｎ線に沿う断面図である。
【００４８】
【図５３】（ａ）は前記第５の実施形態に適用したフックの斜視図、（ｂ）は前記フックの正面図、（ｃ）は前記（ｂ）のＯ−Ｏ線に沿う断面図である。
【図５４】前記第５の実施形態のラッチキャッチとラッチロックの作動状態の要部を示す断面図で、（ａ）は施錠時、（ｂ）は解錠時、（ｃ）は開扉時、（ｄ）は閉扉開始時、（ｅ）は閉扉途中を示している。
【図５５】前記第５の実施形態の施錠時に引戸が悪戯または不正操作された際のラッチロックとラッチキャッチの作動状態の要部を示す断面図で、（ａ）は前後こじ開け時、（ｂ）は建て付け不良・前後こじ開け時、（ｃ）は上下こじ開け時を示している
【発明を実施するための最良の形態】
【００４９】
以下、本発明を引き違い戸に適用した図示の実施形態について説明すると、図１乃至図４３において１は引き違い戸を建て付けた家屋で、その設置面２に臨ませて矩形の出入口部３が設けられ、該出入口部３の周囲に非磁性部材であるアルミニウム製のドア枠４〜７が上下左右に固定されている。
前記ドア枠４〜７に縦長矩形の一対の引戸８，９が内外に配置され、これらの引戸８，９が上下のガイドレ−ル（図示略）を介して左右に開閉可能に設けられている。
この場合、前記引戸８，９の何れか一方を固定し、他方を片開き式に構成することも可能である。
【００５０】
前記引戸８，９は非磁性部材であるアルミサッシで枠組みされ、このうち内側の引戸８は左右の縦枠１０，１１と、上下の横枠１２，１３と、中高位置の横枠１４とで構成され、これらにガラス板１５，１６が上下に取付けられている。
また、外側の引戸９は左右の縦枠１７，１８と、上下の横枠１９，２０と、中高位置の横枠２１とで構成され、これらにガラス板２２，２３が上下に取付けられている。
【００５１】
前記引戸８，９の縦枠１１，１７は角管状に構成され、これらは閉扉時に近接して対向配置され、このうち縦枠１１の室内側の中高位置に室内座２４が取付けられ、また縦枠１７の室外側の中高位置に錠前２５が取付けられている。
この場合、室内座２４の代わりに錠前２５を取付け、引戸８，９の内外に錠前２５を取付けることによって、引戸８，９の保安を向上することができる。
【００５２】
前記錠前２５は実施形態の場合、暗証情報を記憶させる複数の押しボタン２６を備え、この押しボタン２６に暗証情報を記憶させて施錠し、該押しボタン２６を暗証情報を基に押圧操作して解錠し、室外側のレバ−ハンドル２７に連係する角芯棒２９を回動可能に構成した、非電気式ないし非電子式のキ−を使用しないメカロック式のキ−レス錠、ないしボタン錠を用いている。
この場合、錠前２５は前述のボタン錠に限らず、角芯棒２９に連係する後述のシリンダ錠を用いることも可能である。
【００５３】
前記押しボタン２６は錠前２５の表面に２列に配置され、その各列に６個配置されていて、これら１２個の押しボタン２６によって２12通り、すなわち４０９６通りの暗証情報ないし暗証番号を設定可能にしている。
前記押しボタン２６の後述するボタン孔の開口縁部に、１〜０の１０個の数字と、ＡおよびＢの２つのアルファベットからなる暗証情報表示Ｓ1が刻設され、該表示Ｓ1によって該当する押しボタン２６の暗証情報を特定している。
図中、Ｓ2は後述するクリアボタン孔の開口縁部に刻設したＣ字からなるクリアボタン表示で、前記暗証情報表示Ｓ1と相違している。
【００５４】
前記室内座２４に角芯棒２８が突設され、該角芯棒２８は室内側のレバ−ハンドル３０に同動可能に連係し、施錠時に室内側からレバ−ハンドル３０を回動操作して解錠可能にしている。
前記錠前２５の裏面の上下端部にパイプネジ３３が突設され、該パイプネジ３３を縦枠１７の内部に挿入し、該パイプネジ３３に縦枠１７の内側からビス３２をねじ込んで、錠前２５を引戸９の外側に取付けている。
また、前記室内座２４の裏面の上下端部にパイプネジ３１が突設され、該パイプネジ３１を縦枠１１の内部に挿入し、該パイプネジ３１に縦枠１１の外側からビス３４をねじ込んで、室内座２４を引戸８の内側に取付けている。
【００５５】
前記縦枠１１の中高位置の外側面に、レバ−ハンドル３０の軸端部を挿入可能な通孔３５とパイプネジ３１を挿入可能な通孔３６が形成され、また前記縦枠１７の中高位置の外側面に、角芯棒２９を挿入可能な通孔３７とパイプネジ３３を挿入可能な通孔３８が形成されている。
前記縦枠１１，１７の対向面の中高位置に縦長矩形の角穴３９，４０が形成され、それらの上下位置にネジ孔４１〜４４が形成されている。
【００５６】
前記角穴３９，４０に実質的に同一のボックス本体４５，４６が収容され、それらのフランジ板にフロント板４７，４８が取付けられ、該ボックス本体４５，４６とフロント板４７，４８とで磁気シ−ルド可能なラッチ制御ボックスＬ1，Ｌ2を構成している。
このうち、ボックス本体４５，４６は非磁性部材であるステンレス鋼板をプレス成形して略箱形に形成され、それらの底面の上半部に二つの通孔４９，５０、５１，５２が形成され、これらの通孔に前記角芯棒２８，２９とパイプネジ３１，３３が挿入されている。
【００５７】
前記ボックス本体４５，４６の上下側にフランジ板５３，５４、５５，５６が屈曲形成され、これらに形成したネジ孔５７，５８、５９，６０にビス６１，６２、６３，６４をねじ込み可能にしている。図中、６５，６６はボックス本体４５，４６の一対の側片の上端縁に形成した枢支溝である。
【００５８】
前記フロント板４７，４８は、非磁性部材であるステンレス鋼板をプレス成形して略板状に形成され、その中高位置に開口部である角孔６７，６８が形成され、その左右の開口縁に係止片６９，７０が内側に屈曲して対向配置されている。
図中、７１，７２、７３，７４は前記角孔６７，６８の上下位置に形成したビス孔で、管状に成形した筒部内面にネジ部を形成しており、７５，７６は前記ネジ孔７１，７３の間に形成した軸孔で、該軸孔７５，７６とボックス本体４５，４６の底部に形成した通孔４９，５１との間に、カム軸７７，７８が回動自在に支持されている。
【００５９】
前記カム７７，７８は実質的に同一に構成され、これらは非磁性部材である亜鉛合金ダイカストによって中空筒状に成形され、その内部に角芯棒２８，２９を係入可能な角孔７９，８０が形成され、レバ−ハンドル２７，３０ないし角芯棒２８，２９の回動操作に同動して、軸周りに回動可能にされている。
【００６０】
前記カム軸７７，７８の一端部周面に略扇形断面のカム８１，８２が突設され、該カム８１，８２はカム軸７７，７８の端部に互いに離間し、かつ上向きまたは下向きに配置され、レバ−ハンドル２７，３０ないし角芯棒２８，２９の回動角度によって、ラッチキャッチ８３またはラッチロック８４の一端の後述する係止爪と係合可能にされている。
そして、前記カム８１，８２の係合変位ないし回動角度によって、後述の枢軸を支点にラッチキャッチ８３またはラッチロック８４を上下方向に回動させ、それらの回動変位を後述するマグネットによって保持可能にされている。
【００６１】
前記ラッチキャッチ８３は、屋内側のレバ−ハンドル３０の回動操作に同動する角芯棒２８と、該角芯棒２８に同動するカム軸７７のカム８１の変位によって、後述する枢軸を支点に回動可能にされ、また前記ラッチロック８４は、屋外側のレバ−ハンドル２７の回動操作に同動する角芯棒２９と、該角芯棒２９に同動するカム軸７８のカム８２の変位によって、後述する枢軸を支点に回動可能にされている。
【００６２】
前記ラッチキャッチ８３とラッチロック８４は、非磁性部材である亜鉛合金ダイカストによって側面形状が略逆Ｌ形状または略Ｚ字形状に成形され、このうちラッチキャッチ８３の正面形状は図６のように略縦長矩形に形成され、その上端部に一対の側片８５が対向して突設されている。
【００６３】
前記側片８５の側部に係止爪８５ａが後方に突出して形成され、該係止爪８５ａの上端部にカム８１の円周方向の端部を係合可能に配置している。
前記側片８５，８５の間に凹状曲面の係合溝８６が形成され、該係合溝８６をカム軸７７の周面に軸周りに回動可能に配置されている。
図中、８７は側片８５の外側に突設した枢軸で、該枢軸８７をボックス本体４５，４６の枢支溝６５，６５に掛け止め、枢軸８７を中心にラッチキャッチ８３を回動可能に支持している。
【００６４】
前記ラッチキャッチ８３の中間部に略縦長矩形の長孔８８が形成され、該長孔８８内にパイプネジ３１とビス３４を収容している。
前記ラッチキャッチ８３の下端部に矩形のマグネット収容ボスが設けられ、該ボスの内側に矩形の凹孔８９が形成されている。前記凹孔８９に矩形板状のマグネット９０が収容され、その吸着面をクロムメッキして平滑にし、後述のマグネットとの摺動摩擦を軽減している。
【００６５】
前記マグネット９０は強磁性体である鉄鋼製のビス９１によって固定され、後述するマグネットとの磁界の磁力線の拡散を防止し、その平坦な吸着面を角孔６７から外側へ表出可能にしている。
図中、９２は凹孔８９の背面に突設したボスで、内部に凹孔８９に連通するビス孔９３が形成されている。
【００６６】
前記ラッチキャッチ８３の中間部にバネ受９４が形成され、該バネ受９４に後述のラッチスプリングよりも強力なラッチスプリング９５が収容され、該スプリング９５の他端をフロント板４７の裏面に着座し、その弾性を介してラッチキャッチ８３を枢軸８７を中心に引戸８の内側方向へ回動可能に付勢している。
【００６７】
一方、前記ラッチロック８４の正面形状は図７のように略縦長矩形に形成され、その上端部に一対の側片９６が対向して突設されている。
前記側片９６の側部に係止爪９６ａが前方に突出して形成され、該係止爪９６ａの下端部にカム８２の円周方向の端部を係合可能に配置している。
前記側片９６，９６の間に凹状曲面の係合溝９７が形成され、該係合溝９７をカム軸７８の周面に軸周りに回動可能に配置している。
図中、９８は側片９６の後端部に突設した枢軸で、該枢軸９８をボックス本体４６の枢支溝６６，６６に掛け止め、枢軸９８を中心にラッチロック８４を回動可能に支持している。
【００６８】
前記ラッチロック８４の中間部に略縦長矩形の長孔９９が形成され、該長孔９９内にパイプネジ３３とビス３２を収容している。
前記ラッチロック８４の下端部に円形のマグネット収容ボスが設けられ、該ボスの内側に円形の凹孔１００が形成され、該凹孔１００の底部にビス孔１０１が形成されている。
前記凹孔１００に円筒状のマグネット１０２が収容され、その吸着面は前記マグネット９０に吸着可能な異極性に着極され、かつその磁力は前記マグネット９０の磁力と同大に構成されていて、その表面をクロムメッキして吸着面を平滑にしマグネット９０との摺動摩擦を軽減している。
【００６９】
前記マグネット１０２は強磁性体である鉄鋼製のビス１０３によって取付けられ、前記マグネット９０との間の磁界の磁力線の拡散を防止し、その平坦な吸着面を角孔６８から外側に表出可能にしている。
この場合、マグネット１０２の吸着面積をマグネット９０の吸着面積よりも小さく形成し、マグネット９０，１０２相互の成形または組み付け寸法誤差を吸収可能にしている。
【００７０】
前記ラッチロック８４の中間部にバネ受１０４が成形され、該バネ受１０４にラッチスプリング１０５が収容され、該スプリング１０５は前記ラッチスプリング９５よりも弱く、その他端をフロント板４８の裏面に着座し、その弾性によってラッチロック８４を枢軸９８を中心に引戸９の内側へ回動可能に付勢している。
【００７１】
このように前記ラッチキャッチ８３は、屋内側のレバ−ハンドル３０の操作に連動して枢軸８７を支点に上下方向へ回動可能にされ、前記ラッチロック８４は、屋外側のレバ−ハンドル２７の操作に連動して枢軸９８を支点に上下方向へ回動可能にされ、それらの変位を協働して保持し、施解錠および開扉状態を形成可能にしている。
すなわち、引戸錠の施錠時は、屋内側のレバ−ハンドル３０が垂直状態に置かれ、該ハンドル３０に連係するカム軸７７とカム８１、角芯棒２８が回動角度０°状態に置かれ、カム８１の両端部が係止爪８５ａとδ離間し、それらの係合を解除している。
【００７２】
その際、前記ラッチキャッチ８３は、ラッチスプリング９５の弾性によって枢軸８７を支点に引戸８の内側へ回動し、下端部のマグネット９０が角孔６７の後方、つまりボックス本体４５内に位置して、ラッチキャッチ８３の大半部が引戸８内に斜状に位置している
そして、ラッチキャッチ８３の下端部がボックス本体４５の内面に係合可能に位置して回動角度を規制され、マグネット９０に吸着するラッチロック８４の姿勢を維持するようにしている。この状況は図４のようである。
【００７３】
一方、屋外側のレバ−ハンドル２７は施錠時に垂直状態に置かれ、該ハンドル２７に連係するカム軸７８とカム８２、角芯棒２９が回動角度０°状態に置かれ、カム８２の両端部が係止爪９６ａとε離間し、それらの係合を解除可能にしている。
そして、ラッチロック８４の下端部のマグネット１０２が、ラッチスプリング１０５の弾性に抗してラッチキャッチ８３のマグネット９０に吸着し、前記マグネット１０２が角孔６７の後方に突出し、該角孔６７の開口縁と内側の係止片６９，６９とに係合可能に位置して、引戸８，９の移動ないし開閉を阻止し施錠状態を形成可能にしている。この状況は図４のようである。
【００７４】
この場合、マグネット９０の吸着面はマグネット１０２の吸着面よりも広いため、マグネット９０，１０２の成形寸法の誤差や、ラッチキャッチ８３およびラッチロック８４の組み付け上の寸法誤差を吸収し得る。
【００７５】
また、施錠時はカム８１の両端部が係止爪８５ａとδ離間し、カム８２の両端部が係止爪９６ａとε離間しているから、これらを係合させる構造に比べ、レバ−ハンドル３０を負荷なく解錠操作を速やかに行なえ、屋内または屋外側からの解錠操作を促すとともに、枢軸８７，９８を支点にしたラッチキャッチ８３およびラッチロック８４の回動角度を抑制し、その下端部の回動変位を抑制して、ボックス本体４５，４６ないしラッチロック８３，８４、引戸８，９の小形軽量化を図るようにしている。
【００７６】
前記施錠状態からの解錠操作は、屋内側または屋外側から実行可能にされ、屋内側からはレバ−ハンドル３０を回動操作することによって解錠可能にされ、また屋外側からは錠前２５の解錠操作後、レバ−ハンドル２７を回動操作することによって解錠可能にされ、これらの解錠操作においてラッチキャッチ８３とラッチロック８４とが協働可能にされている。
【００７７】
このうち、屋内側から解錠する場合は、屋内側のレバ−ハンドル３０を回動操作し、これに角芯棒２８とカム軸７７を同動させてカム８１を回動可能にしている。
その際、レバ−ハンドル３０の回動角度が前記離間δ相当以下のときは、カム８１が係止爪８５ａの上端部と係合しないため、ラッチキャッチ８３が静止状態を維持し、マグネット１０２に吸着したマグネット９０を介して、ラッチキャッチ８３とラッチロック８４とが施錠時と同様な姿勢を維持して静止可能にされている。
【００７８】
この後、レバ−ハンドル３０を間隙δ相当以上θ1以下に回動し、カム８１の端部を直下の係止爪８５ａに係合して係止爪８５ａを押し下げ、ラッチキャッチ８３を枢軸８７を支点に図４上時計方向へ回動し、一方、マグネット９０に吸着したマグネット１０２を介して、ラッチロック８４を引戸９の内側方向へ押し戻し、該ラッチロック８４を枢軸９８を支点に図４上時計方向へ回動可能にしている。この状況は図９（ａ）のようである。
【００７９】
更に、レバ−ハンドル３０をθ2（θ1＜θ2）回動し、カム８１を回動して係止爪８５ａを押し下げ、ラッチキャッチ８３を枢軸８７を支点に図４上時計方向へ回動し、マグネット９０の吸着面を角孔６７の開口部に垂直に表出可能にし、一方、マグネット９０に吸着したマグネット１０２を介してラッチロック８４を押し戻し、マグネット１０２の吸着面を角孔６８の外側に垂直に表出可能にしている。この状況は図１０のようである。
【００８０】
この後、レバ−ハンドル３０をθ3（θ2＜θ3）回動し、カム８１を更に回動して係止爪８５ａを押し下げ、ラッチキャッチ８３を枢軸８７を支点に図４上時計方向へ回動し、マグネット９０の吸着面を引戸８，９の間に突出して解錠可能にしている。
一方、マグネット９０に吸着したマグネット１０２を介してラッチロック８４を引戸９側へ押し戻し、マグネット１０２の吸着面を引戸８，９の間に位置付け、マグネット９０，１０２の吸着面を垂直に位置付けて解錠状態を形成している。この状況は図１１および図１２のようである。
【００８１】
このように解錠時は、ラッチキャッチ８３とラッチロック８４のマグネット９０，１０２の吸着面が引戸８，９の間に位置し、マグネット９０がラッチスプリング９５の弾性に抗してマグネット１０２に吸着し、ラッチキャッチ８３の略垂直姿勢を保持させている。
また、ラッチロック８４においては、ラッチスプリング１０５の弾性による枢軸９８の周りのモ−メントと、ラッチロック８４の重力による枢軸９８の周りのモ−メントとが拮抗し、マグネット１０２の吸着面がフロント板４８の表面と同高面に位置している。
【００８２】
その際、ラッチロック８４の下端部のマグネット１０２と他側端部がボックス本体４６の内面に係合可能に位置し、ラッチロック８４の押し戻し位置を規制するとともに、ラッチキャッチ８３の角孔６８への突出を回避させ、この後の開扉を確実に行なえるようにしている。
【００８３】
一方、屋外側から解錠する場合は、錠前２５の解錠後、屋外側のレバ−ハンドル２７を回動操作し、これに角芯棒２９とカム軸７８を同動させてカム８２を回動可能にしている
その際、レバ−ハンドル２７の回動角度が前記離間ε相当以下のときは、カム８２が係止爪９６ａの下端部と係合しないため、ラッチロック８４が静止状態を維持し、マグネット９０に吸着したマグネット１０２を介して、ラッチキャッチ８３とラッチロック８４とが施錠時と同様な姿勢を維持して静止可能にされている。
【００８４】
この後、レバ−ハンドル２７を間隙ε相当以上φ1以下に回動し、カム８２の端部を直上の係止爪９６ａの下端部に係合して係止爪９６ａを押し上げ、ラッチロック８４を枢軸９８を支点に図４上時計方向へ回動し、マグネット１０２を引戸９側へ引き入れる一方、マグネット１０２に吸着したマグネット９０を介して、ラッチキャッチ８３を引戸９側へ引き寄せ、該ラッチキャッチ８３を枢軸８７を支点に図４上時計方向へ回動可能にしている。この状況は図１３のようである。
【００８５】
更に、レバ−ハンドル２７をφ2（φ1＜φ2）回動し、カム８２を回動して係止爪９６ａを押し上げ、ラッチロック８４を枢軸９８を支点に図４上時計方向へ回動し、マグネット１０２の吸着面をフロント板４７と同一面上に位置付ける一方、マグネット１０２に吸着したマグネット９０を介して、ラッチキャッチ８３を引戸９側へ引き寄せ、マグネット９０の吸着面をフロント板４７と同一面上に位置付けるようにしている。この状況は図１５のようである。
【００８６】
この後、レバ−ハンドル３０をφ3（φ2＜φ3）回動し、カム８１を更に回動して係止爪９６ａを押し上げ、ラッチロック８４を枢軸９８を支点に図４上時計方向へ回動し、マグネット９０の吸着面を引戸８，９の間に突出して解錠可能にし、一方、マグネット１０２に吸着したマグネット９０を介してラッチキャッチ８３を引戸９側へ引き寄せ、マグネット９０の吸着面をフロント板４８と同一面上に位置付け、マグネット９０，１０２の吸着面を共に垂直に位置付けて解錠状態を形成している。
このような解錠状態は図１２のようで、この状態は屋内側からレバ−ハンドル３０を回動操作して解錠する場合と実質的に同一である。
【００８７】
前記解錠後、内または外側のレバ−ハンドル３０，２７を保持し、引戸８または９を開方向へ引き動かして開放可能にしている。
例えば外側のレバ−ハンドル２７を保持し、引戸９を開方向、つまり図１上左方向へ引き動かすと、マグネット１０２がマグネット９０の吸着面を摺動して引き離され、マグネット９０の磁界から解放される。この場合、引戸９を図１上左方向へ引き動かす代わりに、引戸８を図１上右方向へ引き動かしても良い。
その際、ラッチロック８４は、ラッチスプリング１０５の弾性による枢軸９８の周りのモ−メントと、ラッチロック８４の重量による枢軸９８の周りのモ−メントとが拮抗しているため、解錠時と同様な状態を保持可能にされている。
【００８８】
一方、ラッチキャッチ８３は、マグネット９０がマグネット１０２の磁界から解放され、ラッチスプリング９５の弾性によって枢軸８７を支点に図１２上反時計方向へ回動し、該ラッチキャッチ８３の重量による枢軸８７の周りのモ−メントと拮抗したところで、回動を停止可能にされている。この状況は図１５のようである。
この状況は内側のレバ−ハンドル３０を保持し、引戸８を開方向へ引き動かして開放する場合も同様である。
【００８９】
こうして、引戸９を開放し、人の出入り後、例えば引戸９を閉鎖する場合は、レバ−ハンドル２７を保持し、引戸９を閉方向、つまり図１上右方向へ引き動かして閉鎖可能にしている。
すなわち、引戸９を閉方向、つまり図１上右方向へ引き動かし、縦枠１７が内側の引戸８の縦枠１１の対向位置に移動し、マグネット１０２，９０の磁界が影響し合って、それらの磁力が復活し、ラッチロック８４がラッチスプリング１０５の弾性に抗して枢軸９８を支点に図１５上反時計方向へ回動し、マグネット１０２がラッチキャッチ８３のマグネット９０に吸着され、図４の施錠時と同様な状態を形成可能にされている。
【００９０】
一方、前記錠前２５であるボタン錠は図１７乃至図３０のようである。
すなわち、前記ボタン錠は、錠前２５の外側を区画するケースハウジング１０４と、該ハウジング１０４内に積重して配置されるボタン押え板１０５と、実質的なロック機能を奏するロックプレ−ト１０６と、後述するロックピンの作動を制御するリセット板１０７と、ケースハウジング１０４の開口部を閉塞するカバ−プレ−ト１０８と、で構成されている。
このうち、ケースハウジング１０４は亜鉛合金ダイカストによって有底の長円形に成形され、その底部に複数のボタン孔１０９が二列に配置され、それらの上部に単一のクリアボタン孔１１０が配置されている。
【００９１】
前記ボタン孔１０９とクリアボタン孔１１０とは同径に形成され、これらにボタン２６とクリアボタン１１１が挿入されている。前記ボタン２６とクリアボタン１１１は、鋼板をプレス成形した深底の円筒状に形成され、それらの開口側にフランジ部２６ａ，１１１ａが屈曲して形成され、これらのフランジ部２６ａ，１１１ａがボタン孔１０９とクリアボタン孔１１０の開口縁部に係合可能に配置されている。
前記ボタン２６とクリアボタン１１１の内部にボタンワッシャ１１２，１１３が挿入され、これらは鋼板をプレス成形した円板状に形成され、その相対位置から各一対の脚片１１４，１１５が対向して突設されている。
【００９２】
前記脚片１１４，１１５の断面は略Ｚ字またはＬ字形状に形成され、このうち脚片１１４の中間部に拡径部１１４ａが形成され、また脚片１１５の端部にフランジ部１１５ａが形成され、該拡径部１１４ａとフランジ部１１５ａにボタン２６とクリアボタン１１１の開口縁部が係合可能に配置されている。
前記脚片１１４，１１５の間にボタンスプリング１１６，１１７が配置され、その弾性によって、ボタンワッシャ１１２，１１３とボタン２６およびクリアボタン１１１を外側へ突出可能に付勢している。
図中、１１８はボタンスプリング１１６の片側に配置したバネ受で、亜鉛合金ダイカストによって小形の略矩形板状に成形され、その内部に角孔１１９が形成され、その片面に凹溝１２０が直径方向に形成されている。
【００９３】
前記ボタン押え板１０５は亜鉛合金ダイカストによって略矩形板状に成形され、その四隅と中央にビス孔１２１が形成され、該ビス孔１２１にビス１２２を挿入し、これをケースハウジング１０４の内側に形成したネジ孔１２３にねじ込んで、ボタン押え板１０５を取付けている。
前記ボタン押え板１０５に複数のロックピン挿通孔１２４が二列に配置され、該挿通孔１２４は前記ボタン孔１０９とクリアボタン孔１１０の位置に対応して形成され、該ロックピン挿通孔１２４の内側の開口縁部に凹孔１２５が形成されている。
【００９４】
前記凹孔１２５の両側に角溝１２６が形成され、該角溝１２６に前記脚片１１４，１１４が摺動可能に挿入されている。
図中、１２７は前記凹孔１２５の周面に突設した山形の係合突起、１２８は前記ロックピン挿通孔１２４の外側の開口縁部に形成した浅底の凹孔である。
【００９５】
前記ボタン押え板１０５の上端部にクリアピン挿通孔１３０が形成され、該クリアピン挿通孔１３０の内側の開口縁部に凹孔１３１が形成されている。
前記凹孔１３１の両側に角溝１３２が形成され、該角溝１３２に前記脚片１１５，１１５が摺動可能に挿入されている。図中、１３３，１３４は凹孔１３１の内側の対向位置に突設した係合突起で、後述するクリアピンのクリアカムと係合可能に配置され、クリアピンの回動角度を規制している。
【００９６】
前記ロックプレ−ト１０６は鋼板をプレス成形して縦長矩形に形成され、前記ボタン孔１０９とクリアボタン孔１１０の対応位置に複数のロック孔１３５，１３６が二列に配置され、これらのロック孔１３５，１３６が左右対称に形成されている。
図中、Ｓ5は前記ロック孔１３５，１３６の開口縁部に、説明の便宜上付した暗証情報表示で、前記暗証情報表示Ｓ1に対応して付している。
【００９７】
前記ロック孔１３５，１３６は略Ｔ字形状に形成され、その上部の左右両側に矩形の切欠溝１３７が形成され、該切欠溝１３７とロック孔１３５，１３６との交差部の一側に斜状の係合縁部１３８が形成され、該係合縁部１３８を後述するロックピンのカムフランジの下側面に係合可能に配置され、ロックプレ−ト１０６の上動を阻止可能にしている。
また、前記ロック孔１３５，１３６の上端部中央に山形の突起１３９が内側に突設され、後述するロックピンのカムフランジ上側面と係合可能に配置され、ロックプレ−ト１０６の上動を阻止可能にしている。
【００９８】
図中、１４０はロックプレ−ト１０６の上端部に略Ｔ字形状に形成された通孔で、その上部の左右両側に矩形の切欠溝１４１が形成され、１４２はロックプレ−ト１０６の下端部に形成された略Ｌ字形状の屈曲片で、該屈曲片１４２が後述する駆動カムの平坦部に係合可能に載置され、錠前２５の解錠後に駆動カムが回動してロックプレ−ト１０６を上動可能にしている。
【００９９】
前記ロックプレ−ト１０６の下端部に長孔１４３が形成され、またボタン押え板１０５の下端部にピン孔１４４が形成され、これらに連結ピン１４５が挿入されて同動可能にされている。
図中、１４６は前記ロックプレ−ト１０６の左右上端部に直角に屈曲されたバネ受で、該バネ受１４６とケースハウジング１０４の内側の張出壁（図示略）との間にバネ１４７が介挿され、該バネ１４７の弾性によってロックプレ−ト１０６を下方へ付勢している。
【０１００】
前記リセット板１０７は亜鉛合金ダイカストによって略矩形板状に成形され、前記ボタン孔１０９とクリアボタン孔１１０の対応位置に複数のロックピン孔１４８が二列に配置され、これらロックピン孔１４８の間の上部にバネ掛けピン１４９が突設され、また前記バネ掛けピン１４９の直下と、ロックピン孔１４８，１４８の外側下部にピン１５０が突設され、これらのピン１５０をカシメてリセット押え板１５１を連結している。
【０１０１】
前記リセット押え板１５１は鋼板をプレス成形して矩形板状に成形され、前記ロックピン孔１４８と対応位置に同形のロックピン孔１５２が二列に配置されている。
また、リセット押え板１５１の前記バネ掛けピン１４９と対応位置に、該ピン１４９を挿入可能なピン孔１５３が形成され、前記ピン１５０の対応位置に、該ピン１５０を挿入可能なピン孔１５４が形成されている。
【０１０２】
前記バネ掛けピン１４９に捩りバネであるリセットバネ１５５のコイル部が挿入され、その両側の端末がロックピン孔１４８，１５２の間に斜状に突出して配置され、該端末部が後述するロックピンの錐面に係合可能に配置されている。
図中、１５６は前記リセット板１０７の下端部に突設した張出片で、該張出片１５６が前記屈曲片１４２と背中合わせに配置され、後述する駆動カムの平坦部に係合可能に載置されている。
【０１０３】
そして、錠前２５の解錠後に駆動カムが回動してリセット板１０７を押し上げ、リセットバネ１５５の端部をロックピン１７３から離間させて、リセットバネ１５５の係合力を低下させ、ロックスプリング１６２の弾性によってロックピン１７３を上動させ、該ピン１７３を原位置に復帰可能にしている。
図中、１５７は前記リセット板１０７の上端部に形成したクリアピン挿入孔で、その上側の内面にテーパ面１５７ａが形成され、該テーパ面１５７ａに後述するクリアピンのテーパカムを係合可能に挿入している。
【０１０４】
図中、１５８は前記リセット板１０７の上端部に突設したバネ掛けピンで、該ピン１５８とケースハウジング１０４の内側の張出壁（図示略）との間にセットスプリング１５９が介挿され、該スプリング１５９の弾性によってリセット板１０７とリセット押え板１５１を下方へ付勢している。
【０１０５】
前記カバ−プレ−ト１０８は亜鉛合金ダイカストによって長円板状に成形され、そのボタン孔１０９とクリアボタン孔１１０の対応位置に段付きの複数のロックピン孔１６０が二列に配置されている。
前記ロックピン孔１６０の内側口縁部の外側に環状溝１６１が形成され、該環状溝１６１と後述するロックピンのテ−パフランジとの間に円錐形のロックスプリング１６２が介挿され、該スプリング１６２の弾性によって、ロックピン１７３をカバ−プレ−ト１０８の内側へ付勢している。
【０１０６】
図中、１６３はカバ−プレ−ト１０８の上端部に形成した段付きのクリアピン支持孔で、その内側の口縁部の外側に環状溝１６４が形成され、該環状溝１６４と後述するクリアピンのテ−パフランジとの間に円錐形のロックスプリング１６５が介挿され、該スプリング１６５の弾性によって、後述のクリアピンをカバ−プレ−ト１０８の内側へ付勢している。
【０１０７】
前記カバ−プレ−ト１０８の下端部にハンドル挿入孔１６６が形成され、またカバ−プレ−ト１０８の上下端部にビス孔１６７が形成され、それらの外側からビス１６８を挿入し、これをケースハウジング１０４のネジ孔１２３にねじ込み可能にしている。
図中、１６９，１７０はカバ−プレ−ト１０８の上下端部に形成した軸ネジ挿入孔、１７１，１７２はパイプネジ３１，３３にねじ込み可能な軸ネジで、他端部をケースハウジング１０４のネジ孔（図示略）と、パイプネジ３１，３３にねじ込み可能にしている。
【０１０８】
前記ロックピン１７３は真鍮または亜鉛合金ダイカストによって略軸状に形成され、その両端部に大小異径の小径部１７３ａと大径部１７５が形成され、先端側の小径部１７３ａに角軸部１７４が形成され、該角軸部１７４に前記バネ受１１８の角孔が嵌合して装着されている。
前記大径部１７５の基部側に略円錐台形状のコ−ンフランジ１７６が形成され、該コ−ンフランジ１７６と角軸部１７４との間に、円弧状の板カムからなる二つのカムフランジ１７７，１７８が、互いに離間して反対側へ突設されている。
【０１０９】
このうち、コ−ンフランジ１７６側にカムフランジ１７７が配置され、そのロックピン１７３と同軸上に六角形の角軸部１７７ａが形成され、該角軸部１７７ａの一側にコ−ンフランジ１７６より若干小径のカムフランジ１７７を突設している。
また、前記カムフランジ１７８はカムフランジ１７７と同径で若干肉厚の板カムに形成され、そのロックピン１７３と同軸上に円形の軸部１７８ａが形成され、該軸部１７８ａのカムフランジ１７７と反対側位置にカムフランジ１７８を突設している。
図中、１７８ｂは軸部１７８ａのカムフランジ１７８と反対側の周面を平坦に切欠いた切欠部で、前記ロック孔１３５，１３６の口縁部との接触を防止している。
【０１１０】
前記大径部１７５の軸端に凹溝１７９が形成され、該凹溝１７９にドライバ−の工具、コイン等と係合し、暗証情報入力および暗証情報変更時に組み立て位置から１８０°回動して位置決付けされている。
図中、１８０は大径部１７５の軸端に凹溝１７９と直交位置に形成した暗証表示スリットで、該スリット１８０をカバ−プレ−ト１０８の内側に水平に配置して、暗証情報入力を表示可能にし、前記スリット１８０をカバ−プレ−ト１０８の外側に水平に配置して、非暗証情報入力を表示可能にしている。
【０１１１】
前記カバ−プレ−ト１０８のロックピン孔１６０の外側の開口縁部に、１〜０の１０個の数字と、ＡおよびＢの２つのアルファベットからなる暗証情報表示Ｓ3が刻設され、該表示Ｓ3によって押しボタン２６に対応するロックピン１７３の暗証情報を視認可能にしている。
図中、Ｓ4は前記カバ−プレ−ト１０８のロックピン孔１６０の開口縁部に刻設したＣ字からなるクリアボタン表示で、前記暗証情報表示Ｓ3と相違している。
【０１１２】
前記クリアピン１８１は真鍮または亜鉛合金ダイカストによって略軸状に形成され、その一端を前記クリアボタン１１１内部のボタンワッシャ１１３に挿入し、他端を前記クリアピン支持孔１６３に回動可能に挿入している。
前記クリアピン１８１の中間部の一部周面にテーパフランジ１８２が突設され、そのテーパ面１８２ａを前記テーパ面１５７ａに係合可能に配置していて、例えばロックピン１７３に対する暗証情報の誤操作時にクリアボタン１１１を押圧し、駆動カムの回動を要することなくリセット板１０７を上動可能にしている。
【０１１３】
そして、前記リセット板１０７の上動によって、リセットバネ１５５の端部をロックピン１７３から離間させ、その係合力を低下させて、ロックスプリング１６２の弾性によりロックピン１７３を原位置に復帰可能にしている。
前記レバ−ハンドル２７の基端部に角柱状のハンドル軸１８３が突設され、該ハンドル軸１８３はレバ−ハンドル２７に対し過負荷時に空転可能に連結され、その先端部にハンドル取付座１８４と座金１８５を介して、ケースハウジング１０４の下部のハンドル挿入孔１８６に挿入されている。
【０１１４】
前記ケースハウジング１０４の内側から突出したハンドル軸１８３に座金１８７，１８８が挿入され、該ハンドル軸１８３の先端部に捩りバネ１８９を介して、前述の駆動カム１９０が回動可能に取付けられている。
前記捩りバネ１８９の一端はケースハウジング１０４に掛け止められ、他端が駆動カム１９０に掛け止められ、その弾性によって駆動カム１９０を原位置に復帰回動可能に取付けている。
【０１１５】
前記駆動カム１９０は亜鉛合金ダイカストによって円筒状に成形され、その上端部に平坦部１９０ａが形成され、該平坦部１９０ａに前記ロックプレ−ト１０６の屈曲片１４２と、リセット板１０７の張出片１５６を背中合わせに係合可能に収容している。
前記駆動カム１９０の内側に段付きの角孔１９１が形成され、該角孔１９１に角板１９２が係合して装着されている。
前記角板１９２の内部に通孔１９３が形成され、また角板１９２の先端部周面に通孔１９３に連通するピン孔１９４が形成され、該ピン孔１９４にピン１９５が挿入され、その先端が角芯棒２９の端部のピン孔１９６に差し込まれている。
【０１１６】
このように構成した引戸錠は、内外に配置した引き違い戸である引戸８，９と、引戸８，９に組み込むラッチ制御ボックスＬ1，Ｌ2と、屋内側の引戸８に取付ける室内座２４と、屋外側の引戸８に取付ける錠前２５であるボタン錠と、から構成され、これらの製作を要する。
このうち、引戸８，９は互いに開閉可能な定型寸法の引き違い戸からなり、その相対する一対の縦枠１１，１７を非磁性部材であるアルミサッシによって角管状に構成し、その対向面の中高位置に角穴３９，４０を形成し、その上下位置にネジ孔４１，４２、４３，４４を形成し、裏面側に通孔３５，３６、３７，３８を形成する。
【０１１７】
前記ラッチ制御ボックスＬ1，Ｌ2は、前記角穴３９，４０に収容するボックス本体４５，４６と、該ボックス本体４５，４６の開口側に配置するフロント板４７，４８を備えている。
このうち、ボックス本体４５，４６は非磁性部材であるステンレス鋼板をプレス成形し、その有定箱形の底部に通孔４９，５０、５１，５２を形成し、左右の開口縁部の上部に枢支溝６５，６６を形成し、上下のフランジ板５３〜５６にネジ孔５７，５８、５９，６０を形成する。
また、前記フロント板４７，４８は非磁性部材であるステンレス鋼板をプレス成形し、その中間部に角孔６７，６８を形成し、その左右両側に係止片６９，７０を内側に屈曲して対向配置し、該角孔６７，６８の上下位置にビス孔７１，７２、７３，７４と軸孔７５，７６を形成する。
【０１１８】
前記ラッチ制御ボックスＬ1，Ｌ2は、内部にカム軸７７，７８を回動自在に支持し、該カム軸７７，７８にラッチキャッチ８３とラッチロック８４を回動自在に支持し、それらの下端部に互いに吸着可能なマグネット９０，１０２を備えている。
このうち、カム軸７７，７８は非磁性部材である亜鉛合金ダイカストによって略中空筒状に成形し、その内側に角芯棒２８，２９を挿入可能な角孔７９，８０を形成し、外周面の一端に略扇形のカム８１，８２を成形する。
【０１１９】
前記ラッチキャッチ８３とラッチロック８４は、非磁性部材である亜鉛合金ダイカストによって、側面形状が略逆Ｌ形状または略Ｚ字形状に成形し、それらの上端部に凹状曲面の係合溝８６，９７を成形し、その一側端部に一対の係止爪８５ａ，９６ａを突設し、他側端部に枢軸８７，９８を突設する。
また、前記ラッチキャッチ８３とラッチロック８４の中間部に略縦長矩形の長孔８８，９９を成形し、その直上に凹孔９４，１０４を成形し、下端部に矩形の凹孔８９と円形の凹孔１００を成形する。
【０１２０】
前記マグネット９０，１０２は矩形板状または円筒状に成形し、その吸着面を大小異形の矩形または円形に形成し、その表面にビス孔を形成する。
このようにして加工寸法のバラツキと組み付け誤差を補償し、吸着面の位置ずれを軽減するとともに、マグネット９０，１０２の吸着面に異極性の磁極を確実に配置するようにする。
【０１２１】
このような構成部品を用いてラッチ制御ボックスＬ1，Ｌ2を組立てる場合は、先ずラッチキャッチ８３の凹孔８９にマグネット９０を挿入し、その吸着面に形成したビス孔にビス９１を挿入し、これをビス孔９３にねじ込んでマグネット９０を取付ける。
同様に、ラッチロック８４の凹孔１００にマグネット１０２を挿入し、その吸着面に形成したビス孔にビス１０３を挿入し、これをビス孔１０１にねじ込んでマグネット１０２を取付ける。
【０１２２】
次に、ボックス本体４５の通孔４９にカム８１を上向きにしてカム軸７７の一端を挿入し、該カム軸７７を前記ラッチキャッチ８３の係合溝８６に係合し、またラッチキャッチ８３の枢軸８７，８７をボックス本体４５の枢支溝６５，６５に掛け止め、バネ受９４にラッチスプリング９５を挿入する。
そして、ボックス本体４５のフランジ板５３，５４にフロント板４７を位置付け、カム軸７７の他端をフロント板４７の軸孔７５に挿入し、かつラッチスプリング９５の一端をフロント板４７の裏面に着座させたところで、ビス孔71，７２にビス６１，６２を挿入し、これをネジ孔５７，５８にねじ込んで、ラッチ制御ボックスＬ1を組立てる。
【０１２３】
組立て後の状況は例えば図１５のようで、ビス止めされたボックス本体４５とフロント板４７の内部にカム軸７７が回動可能に支持され、該カム軸７７の回動を許容してラッチキャッチ８３が枢軸８７を支点に回動可能に支持されている。
前記ラッチキャッチ８３は、常時はラッチスプリング９５の弾性によってボックス本体４５の内側へ斜状に配置され、マグネット９０の吸着面が角孔６７の後方に位置し、その他側端部がボックス本体４５の底面に係合可能に近接し、また係止爪８５ａ，８５ａがカム８１の両側端部の下方に離間して位置し、それらの係合を解除している。
【０１２４】
次に、ボックス本体４６の通孔５１にカム８２を下向きにしてカム軸７８の一端を挿入し、該カム軸７８に前記ラッチロック８４の係合溝９７を係合し、またラッチロック８４の枢軸９８，９８をボックス本体４６の枢支溝６６，６６に掛け止め、バネ受１０４にラッチスプリング１０５を挿入する。
そして、ボックス本体４６のフランジ板５５，５６にフロント板４８を位置付け、カム軸７８の他端をフロント板４８の軸孔７６に挿入し、かつラッチスプリング１０５の一端をフロント板４８の裏面に着座させたところで、ビス孔７３，７４にビス６３，６４を挿入し、これをネジ孔５９，６０にねじ込んで、ラッチ制御ボックスＬ2を組立てる。
【０１２５】
組立て後の状況は例えば図１５のようで、ビス止めされたボックス本体４６とフロント板４８の内部にカム軸７８が回動可能に支持され、該カム軸７８の回動を許容してラッチロック８４が枢軸９８を支点に回動可能に支持される。
前記ラッチロック８４は、常時はラッチスプリング１０５の弾性によってボックス本体４６の内側へ斜状に位置付けられ、マグネット９０の吸着面が角孔６８の開口部に位置し、その他側端部がボックス本体４６の底面に係合可能に位置し、また係止爪９６ａ，９６ａがカム８２の両側端部の上方に離間して位置し、それらの係合を解除している。
【０１２６】
前記室内座２４を亜鉛合金ダイカストによって縦長の板状に成形し、その上下端部にパイプネジ３１，３３を突設し、下端部にレバ−ハンドル３０の先端部を回動可能に取付ける。
また、錠前２５としてのボタン錠は、ケースハウジング１０４とカバ−プレ−ト１０８の長さを従来よりも小形化し、これらを内外に配置し、その内部にボタン押え１０５とロックプレ−ト１０６とリセット板１０７を積層配置し、かつそれらの間にボタン２６とクリアボタン１１１、ボタンワッシャ１１２，１１３とロックピン１７３、クリアピン１８１等を組み付け、また下部に駆動カム１９０を組み付け、上下端部にパイプネジ３１，３３を突設したところで、ケースハウジング１０４とカバ−プレ−ト１０８とをビス止めする。
【０１２７】
そして、ケースハウジング１０４の外側からレバ−ハンドル２７を取付け、該ハンドル２７の上端部に突設した角芯棒２９を駆動カム１９０に挿入し、カバ−プレ−ト１０８の内側に突設する。この状況は図１７乃至図２０のようである。
この場合、錠前２５を屋外側に取付けているが屋内側にも取付けることが可能であり、また錠前２５は実施形態のようなボタン錠に限らず、種々のボタン錠を採用することができ、更にボタン錠の代わりにシリンダ錠を用いることも可能である。
その際、引戸８，９ないし縦枠１１，１７には、レバ−ハンドル２７，３０に連係する従来の本締錠の組み付けを要しないから、その分小形軽量化と低廉化を図れ、引戸の狭隘なスペ−スの取付けに容易に応じられる。
【０１２８】
こうして各構成部品を製作し組立てたところで、これらを引戸８，９に取付ける。
その場合は、先ずラッチ制御ボックスＬ1，Ｌ2を引戸８，９の縦枠１１，１７に取付け、その後、縦枠１１の屋内側面に室内座２４を取付け、縦枠１７の屋外側面に錠前２５を取付ける。
【０１２９】
そこで、ラッチ制御ボックスＬ1を引戸８の縦枠１１に取付ける場合は、そのボックス本体４５を縦枠１１の外側に設けた角穴３９に挿入し、該縦枠１１の外面にフランジ板５３，５４を重合し、ビス６１，６２を縦枠１１のネジ孔４１，４２にねじ込んで、ラッチ制御ボックスＬ1を縦枠１１の内側に取付ける。
同様にラッチ制御ボックスＬ2を引戸９の縦枠１７に取付ける場合は、そのボックス本体４６を縦枠１７の内側に設けた角穴４０に挿入し、縦枠１７の内面にフランジ板５５，５６を重合し、ビス６３，６４縦枠１７のネジ孔４３，４４にねじ込んで、ラッチ制御ボックスＬ2を縦枠１７の内側に取付ける。
【０１３０】
次に、縦枠１１の屋内側面に室内座２４を取付ける場合は、縦枠１１の屋内側面に室内座２４を位置付け、室内座２４から突設した角芯棒２８を通孔３５挿入し、該角芯棒２８をボックス本体４５の底面に開口したカム軸７７の角孔７９に係入する。
この後、パイプネジ３１，３３を縦枠１１の屋内側面の通孔３６および他の通孔（図示略）に挿入し、縦枠１１の屋外側面の通孔（図示略）からビス３４を挿入し、これをパイプネジ３１，３３にねじ込んで、縦枠１１の屋内側面に室内座２４を取付ける。
【０１３１】
また、縦枠１７の屋外側面に錠前２５を取付ける場合は、先ず錠前２５に暗証情報を入力して置く。前記暗証情報入力は、錠前２５の裏面のカバ−プレ−ト１０８に開口したロックピン孔１６０に表出するロックピン１７３を回動することで行なう。
すなわち、ロックピン１７３は組み込み直後ないし暗証情報入力前は、暗証表示スリット１８０が外側に位置し、この状態から暗証情報入力するロックピン１７３を１８０°回動することで行なう。その際、カバ−プレ−ト１０８に刻設した暗証情報表示Ｓ1を基に、対応するロックピン１７３の凹溝１７９にドライバ等の工具を係合して回動する。
【０１３２】
こうして暗証情報入力したロックピン１７３は、暗証表示スリット１８０がカバ−プレ−ト１０８の内側に位置し、前記スリット１８０の位置によって暗証情報入力の有無を視覚的に確認し得る。実施形態では６本のロックピン１７３に暗証情報（暗証番号）を「１４５８０Ａ」に入力しており、この状況を図３１に示している。
【０１３３】
このような暗証情報入力したロックピン１７３と、暗証情報入力しない非暗証情報入力のロックピン１７３の状況は図３２乃至図３４のようで、暗証情報入力したロックピン１７３のカムフランジ１７７がロックプレ−ト１０６のロック孔１３５または１３６に係入し、その一側端部が係合縁部１３８に係合してロックプレ−ト１０６の上動を阻止し、施錠状態を形成している。
その際、非暗証情報入力のロックピン１７３のカムフランジ１７７が、ロックプレ−ト１０６のロック孔１３５または１３６に係入し、その一側端部が係合縁部１３８から離間してロックプレ−ト１０６の上動を許容している。
【０１３４】
次に、前記暗証情報入力した錠前２５を縦枠１７の外側面に取付ける場合は、縦枠１７の屋外側面にカバ−プレ−ト１０８を位置付け、該カバ−プレ−ト１０８から突設した角芯棒２９を通孔３７に挿入し、これをボックス本体４６の底面に開口したカム軸７８の角孔８０に係入する。
この後、パイプネジ３１，３３を縦枠１７の屋外側面の通孔３８および他の通孔（図示略）に挿入し、縦枠１７の屋内側面の通孔（図示略）からビス３２を挿入し、これをパイプネジ３１，３３にねじ込んで、縦枠１７の屋外側面に錠前２５を取付ける。
【０１３５】
こうして引戸８の縦枠１１の内側面に室内座２４を取付け、また引戸９の縦枠１７の外側面に暗証情報を入力した錠前２５を取付け後、これらの引戸８，９をドア枠４〜７に取付ける。すなわち、引戸８を屋内側に取付け、引戸９を屋外側に取付ける。
すなわち、引戸８，９を内外に配置し、かつこれらを左右に移動可能に取付け、それらの閉扉時に一方の縦枠１１，１７を対向配置する。
この状況は図１乃至図４のようで、室内座２４と錠前２５は従来に比べ短小であるから体裁が良く、引戸８，９の狭隘なスペ−スの取付けに応じられる。
【０１３６】
このように引戸８，９を取付け、縦枠１１，１７を対向配置すると、縦枠１１，１７に取付けたフロント板４７，４８の角穴６７，６８が対向して位置し、角穴６７の後方のマグネット９０と、角穴６８の開口部のマグネット１０２とが対向し、互いに吸引し合う。
その際、前述のようにラッチキャッチ８３のマグネット９０の吸着面は角穴６７の後方に位置し、ラッチロック８４のマグネット１０２の吸着面は角穴６８の開口部に位置しているから、縦枠１１，１７を僅かに離間させて容易に対向配置し得、引戸８，９を内外位置に容易に取付けられる。この状況は例えば図１５のようである。
【０１３７】
そして、前記引戸８，９の取付け後は、ラッチスプリング９５の強さはラッチスプリング１０５に比べて非常に強く、またマグネット９０，１０２の磁力に顕著な差異はないから、すなわち略同一であるから、ラッチロック８４がラッチスプリング１０５の弾性に抗して枢軸９８，９８を支点にラッチキャッチ８３側へ吸引移動し、マグネット１０２が角穴６８を越えて角穴６７の内側へ進入し、マグネット９０の吸着面に吸着する。
この場合、マグネット９０，１０２の中央に強磁性部材である鉄鋼製のビス９１，１０３が取付けられているから、それぞれの磁力線はビス９１，１０３に収束する磁界を形成し、磁力の拡散を防止する。この状況は図４のようである。
【０１３８】
すなわち、図４の状況下では、ラッチロック８４の下端部が角穴６７の内側へ進入し、引戸８，９の開放を阻止するとともに、マグネット１０２がマグネット９０に吸着してラッチロック８４とラッチキャッチ８３の協働関係を強化しているから、屋内のレバ−ハンドル３０を回動操作し、または左右方向へ引き動かそうとしても、引戸８，９を開放することはできず、実質的な施錠状態を形成する。
その際、ラッチロック８４の下端部が係止片６９，７０に係合可能に位置するから、施錠時におけるラッチロック８４の位置が安定し、マグネット１０２，９０の安定した吸着を促す。
【０１３９】
しかも、図４の状況下では、前述のように錠前２５に暗証情報が入力され、暗証入力したロックピン１７３がロックプレ−ト１０６の上動を阻止し、錠前２５が施錠状態を形成するから、屋外のレバ−ハンドル２７を回動操作することが出来ず、引戸９を開扉することができない。
したがって、前記図４の状況下では、錠前２５の施錠状態とラッチロック８４による施錠によって、引戸８，９の開放が強力に阻止される。
【０１４０】
一方、このような施錠時においては、図４のようにラッチキャッチ８３がラッチ制御ボックスＬ1内の前後方向に斜状に位置し、カム軸７７がカム８１を上向きにして水平に配置され、カム８１の両側端部の直下に係止爪８５ａ，８５ａの上端部が間隙δ離間して配置されている。この状況は図８（ａ）のようである。
また、図４のようにラッチロック８４がラッチ制御ボックスＬ2内の上下方向に略垂直に位置し、カム軸７８がカム８２を下向きにして水平に配置され、カム８２の両側端部の直上に係止爪９６ａ，９６ａの下端部が間隙ε離間して配置されている。この状況は図８（ｂ）のようである。
【０１４１】
このような施錠時に、例えば屋内側から引戸８を開放する場合は、屋内側のレバ−ハンドル３０を回動する。
前記レバ−ハンドル３０を回動すると、該ハンドル３０の先端の角芯棒２８がこれに同動し、該角芯棒２８を嵌合したカム軸７７が回動する。
その際、レバ−ハンドル３０の回動角度が間隙δの相当角度以下の場合は、係止爪８５ａ，８５ａがカム８１の両側端部に係合しないから、ラッチキャッチ８３は枢軸８７を支点に回動せず図４の状態を維持する。
【０１４２】
この後、レバ−ハンドル３０を前記間隙δの相当角度以上回動すると（δ＜θ1＜θ2）、カム８２の回動方向側の端部が直下の係止爪８５ａに係合して押し下げ、その係合力によってラッチキャッチ８３がラッチスプリング９５に抗して、枢軸８７を支点に図４上時計方向へ回動し、その下端部がマグネット９０を介してマグネット１０２を押圧し、ラッチロック８４をラッチ制御ボックスＬ2側へ押し動かす。この状況は図９（ａ），（ｂ）のようである。
【０１４３】
そして、レバ−ハンドル３０を前記θ1以上回動すると（θ1＜θ2）、カム８１の回動方向側の端部が直下の係止爪８５ａに係合して更に押し下げ、その係合力によってラッチキャッチ８３がラッチスプリング９５に抗して、枢軸８７を支点に図４上時計方向へ更に回動し、その下端部がマグネット９０を介してマグネット１０２を押圧し、ラッチロック８４をラッチ制御ボックスＬ2側へ更に押し動かす。この状況は図１０（ａ），（ｂ）のようである。
図示の場合は、ラッチキャッチ８３がラッチ制御ボックスＬ2内の上下方向に略垂直に位置し、マグネット９０の吸着面が角穴６７の開口縁部に移動し、ラッチロック８４のマグネット１０２の吸着面が角穴６７の開口縁部に後退する。
【０１４４】
この後、レバ−ハンドル３０を前記θ2以上回動すると（θ2＜θ3）、カム８１の回動方向側の端部が直下の係止爪８５ａに係合して更に押し下げ、その係合力によってラッチキャッチ８３がラッチスプリング９５に抗して、枢軸８７を支点に図４上時計方向へ更に回動し、その下端部がマグネット９０を介してマグネット１０２を押圧し、ラッチロック８４をラッチ制御ボックスＬ2側へ更に押し動かす。この状況は図１１（ａ）および図１２のようである。
【０１４５】
この状況は、ラッチキャッチ８３の下端部が角穴６７の外側に突出し、そのマグネット９０の吸着面が角穴６７の開口縁部に移動し、ラッチロック８４が更に押し動かされて後退し、ボックス本体４６の底部内面に係合可能に近接するとともに、マグネット１０２の吸着面が角穴６８の開口縁部に後退している。
したがって、図１２の状況では角穴６７から後退したラッチロック８４のマグネット１０２にラッチキャッチ８３のマグネット９０が吸着し、ラッチロック８４とラッチキャッチ８３の係留関係が維持されているが、ラッチロック８４の下端部は角穴６７から後退しているから、引戸８に対する実質的な係留関係は解除され、解錠状態を形成している。
【０１４６】
そこで、レバ−ハンドル３０の前記回動角度を維持し、またはθ4へ若干回動し、該レバ−ハンドル３０をマグネット９０，１０２の吸着力に抗して引戸８の開方向に引き動かすと、マグネット９０がマグネット１０２の吸着面を滑動して互いに引き離され、引戸８が開放される。
【０１４７】
こうして引戸８が開扉されると、ラッチキャッチ８３はラッチスプリング９５の弾性によって枢軸８７を支点に図１２上反時計方向へ回動し、ラッチ制御ボックスＬ1内の前後方向に斜状に位置して静止し、マグネット９０が角穴６７の後方に位置する。
また、ラッチロック８４はラッチスプリング１０５の弾性によって図１２の解錠時と略同様の状態を維持し、マグネット１０２の吸着面が角穴６８の開口部に位置する。この状況は図１５および図１６（ａ）のようである。
したがって、この後、引戸８の開放スペ−スから人の出入りが可能になる。
【０１４８】
一方、引戸８の開放後、適宜な把持部を利用して引戸８を外側から閉扉すると、引戸８，９の縦枠１１，１７が対向し、該縦枠１１，１７に取付けたフロント板４７，４８の角穴６７，６８が対向して、角穴６７の後方のマグネット９０と、角穴６８の開口部のマグネット１０２とが互いに吸引し合う。
その際、前述のようにラッチキャッチ８３のマグネット９０の吸着面は角穴６７の後方に位置し、ラッチロック８４のマグネット１０２の吸着面は角穴６８の開口部に位置しているから、引戸８，９を容易に開閉し得る。
【０１４９】
こうして、マグネット９０，１０２を対向させると、前述のようにラッチスプリング９５の強さはラッチスプリング１０５に比べて非常に強く、またマグネット９０，１０２の磁力に顕著な差異はないから、すなわち略同一であるから、ラッチロック８４がラッチスプリング１０５の弾性に抗して枢軸９８，９８を支点にラッチキャッチ８３側へ吸引移動し、マグネット１０２が角穴６８を越えて角穴６７の内側へ進入し、マグネット９０の吸着面に吸着する。
【０１５０】
この状況は図４のようで、この状況下ではラッチロック８４の下端部が角穴６７の内側へ進入し、引戸８，９の開放を阻止するとともに、マグネット１０２がマグネット９０に吸着してラッチロック８４とラッチキャッチ８３の協働関係を強化しているから、屋内のレバ−ハンドル３０を回動操作し、または左右方向へ引き動かそうとしても、引戸８，９を開放することはできず、実質的な施錠状態を形成する。
その際、ラッチロック８４の下端部が係止片６９，７０に係合可能に位置するから、施錠時におけるラッチロック８４の位置が安定し、マグネット１０２，９０の安定した吸着を促す。
すなわち、引戸８の閉扉後に自動的に施錠され、内外からの引戸８，９の開放が阻止され、安全性が確保される。
【０１５１】
一方、引戸８，９の施錠時に、例えば屋外側から引戸９を開放する場合は、先ず屋外側に設けた錠前２５を解錠する。
前記錠前２５を解錠する場合は、錠前２５に暗証情報入力した暗証情報に対応するボタン２６を押圧操作する。実施形態では錠前２５に「１４５８０Ａ」の暗証情報を入力しており、該暗証情報に対応するロックピン１７３を暗証情報表示Ｓ1を基にボタン２６を介して押圧する。
【０１５２】
例えば暗証情報「１」に対応するボタン２６を押圧すると、そのフランジ部がボタンワッシャ１１２に係合し、該ボタンワッシャ１１２がロックピン１７３の上端部に係合して、該ロックピン１７３をボタンスプリング１１６とロックスプリング１６２の弾性に抗して押し下げる。
このため、コーンフランジ１７６がその縮径側に係合するリセットバネ１５５の端末部を押し開いて、ロックピン１７３を軸方向へ押し下げ、該リセットバネ１５５がコーンフランジ１７６の大径側の段部に係合して、ロックピン１７３の押下げ姿勢を保持する。
その際、カムフランジ１７８がロックプレ−ト１０６のロック孔１３６に係入し、この他側のカムフランジ１７７がリセット板１０７のロックピン孔１４８に係入する。この状況は図３５のようである。
【０１５３】
また、例えば暗証情報「８」に対応するボタン２６を押圧すると、そのフランジ部がボタンワッシャ１１２に係合し、該ボタンワッシャ１１２がロックピン１７３の上端部に係合して、該ロックピン１７３をボタンスプリング１１６とロックスプリング１６２の弾性に抗して押し下げる。
このため、コーンフランジ１７６が縮径側に係合するリセットバネ１５５の端末部を押し開いて、ロックピン１７３を軸方向へ押し下げ、該リセットバネ１５５がコーンフランジ１７６の大径側の段部に係合して、ロックピン１７３の押下げ姿勢を保持する。
【０１５４】
その際、カムフランジ１７８がロックプレ−ト１０６のロック孔１３５に係入し、この他側のカムフランジ１７７がリセット板１０７のロックピン孔１４８に係入する。この状況は図３６のようである。
以後、同様の要領で他の暗証情報「４」、「５」、「０」、「Ａ」に対応するボタン２６を押圧し、対応するロックピン１７３を押し下げる。
【０１５５】
なお、解錠操作時にボタン２６を押し間違えた場合、つまり非暗証入力のボタン２６を押圧した場合は、そのキャンセルないし訂正操作として、クリアボタン１１１を押圧し、その拡径縁部１１１ａを介しクリアボタンワッシャ１１３を押圧し、該ボタンワッシャ１１３に係合するクリアピン１８１を押し下げる。
そして、クリアピン１８１に突設したテーパフランジ１８２のテーパ面１８２ａを、クリアピン挿入孔１５７のテーパ面１５７ａに係合かつ押圧し、リセット板１０７をリセットバネ１５９に抗して上方へ、図３９上では左方へ移動させる。
【０１５６】
このようにすると、リセットバネ１５５がリセット板１０７と同動し、その端部がロックピン１７３ないしコーンフランジ１７６から離間し、それらの係合を解除するため、各ロックピン１７３がロックスプリング１６２によってボタンバネ１１６に抗して押し上げられ、コーンフランジ１７６の小径部側にリセットバネ１５５が係合し、誤操作したボタン２６のロックピン１７３が非暗証入力時の原状を回復するとともに、適正に操作したボタン２６のロックピン１７３が暗証入力時の原状を回復する。
したがって、この後、暗証入力情報に基いて、再度、ボタン２６を押圧し、解錠操作する。
【０１５７】
こうして暗証情報「１４５８０Ａ」に対応するボタン２６ないしロックピン１７３を押圧すると、ロックプレ−ト１０６の１列目の「８」、「０」に対応するロック孔１３５に、カムフランジ１７８がカムフランジ１７７の代わりに反転状態で係入し、該カムフランジ１７８が同列のロック孔１３５のカムフランジ１７７と同様に位置する。
この状況は図３７のようで、カムフランジ１７７およびカムフランジ１７８の一側端部がロック孔１３５の上部の突起１３９に係合し、それらの他側端部が係合縁部１３８から離間してロックプレ−ト１０６の上動を許容している。
【０１５８】
また、ロックプレ−ト１０６の２列目の「１」、「４」、「０」、「Ａ」に対応するロック孔１３６に、カムフランジ１７８がカムフランジ１７７の代わりに反転状態で係入し、該カムフランジ１７８が同列のロック孔１３６のカムフランジ１７７と同様に位置する
この状況は図３７のようで、カムフランジ１７７およびカムフランジ１７８の一側端部がロック孔１３６の上部の突起１３９に係合し、それらの他側端部が係合縁部１３８から離間して、ロックプレ−ト１０６の上動を許容している。
したがって、このような状況ではレバ−ハンドル２７の回動が可能になり、錠前２５の解錠状態が形成される。
【０１５９】
前記錠前２５の解錠後、例えば屋外側から引戸９を開放する場合は、屋外側のレバ−ハンドル２７を回動する。
前記レバ−ハンドル２７を回動すると、該ハンドル２７の先端の角芯棒２８がこれに同動し、該角芯棒２８を嵌合したカム軸７８が回動する。
その際、レバ−ハンドル２７の回動角度が間隙εの相当角度以下の場合は、係止爪９６ａ，９６ａはカム８２の両側端部に係合しないから、ラッチロック８４は枢軸９８を支点に回動せず図４の状態を維持する。
【０１６０】
この後、レバ−ハンドル２７を前記間隙εの相当角度以上回動すると（ε＜φ1＜φ2）、カム８２の回動方向側の端部が直上の係止爪９６ａに係合して押し上げ、その係合力によってラッチロック８４がラッチスプリング１０５に抗して、枢軸９８を支点に図４上時計方向へ回動し、その下端部が角穴６８から後退し、マグネット１０２にマグネット９０を吸着してラッチキャッチ８３をラッチ制御ボックスＬ2側へ引き寄せる。この状況は図１３（ａ），（ｂ）のようである。
【０１６１】
そして、レバ−ハンドル２７を前記φ1以上回動すると（φ1＜φ2）、カム８２の回動方向側の端部が直上の係止爪９６ａに係合して更に押し上げ、その係合力によってラッチロック８４がラッチスプリング１０５に抗して、枢軸９８を支点に図１３上反時計方向へ更に回動し、その下端部が角穴６８から更に後退し、マグネット１０２にマグネット９０を吸着してラッチキャッチ８３をラッチ制御ボックスＬ2側へ引き寄せる。この状況は図１４（ａ），（ｂ）のようである。
図示の場合は、ラッチキャッチ８３がラッチ制御ボックスＬ1内の上下方向に略垂直に位置し、そのマグネット９０の吸着面が角穴６７の開口縁部に位置し、ラッチロック８４のマグネット１０２の吸着面が角穴６７の開口縁部に後退する。
【０１６２】
この後、レバ−ハンドル２７を前記φ2以上回動すると（φ2＜φ3）、カム８２の回動方向側の端部が直上の係止爪８５ａに係合して更に押し上げ、その係合力によってラッチキャッチ８３がラッチスプリング１０５に抗して、枢軸９８を支点に図１４上反時計方向へ更に回動し、その下端部が角穴６８から後退し、ラッチロック８４をラッチ制御ボックスＬ2側へ更に押し動かす。この状況は図１１（ａ）および図１２のようである。
この状況は、ラッチキャッチ８３の下端部が角穴６７の外側に突出し、そのマグネット９０の吸着面が角穴６８の開口部から後退し、マグネット１０２にマグネット９０を吸着してラッチキャッチ８３をラッチ制御ボックスＬ2側へ引き寄せる。この状況は図１１（ａ）および図１２のようである。
【０１６３】
したがって、図１２の状況では角穴６８から後退したラッチロック８４のマグネット１０２にラッチキャッチ８３のマグネット９０が吸着し、ラッチロック８４とラッチキャッチ８３の係留関係が維持されているが、ラッチロック８４の下端部は角穴６８から後退しているから、引戸９に対する実質的な係留関係は解除され、解錠状態を形成している。
そこで、レバ−ハンドル２７の前記回動角度を維持し、またはφ4へ若干回動し、該レバ−ハンドル２７をマグネット９０，１０２の吸着力に抗して引戸９の開方向へ引き動かすと、マグネット１０２がマグネット９０の吸着面を滑動して互いに引き離され、引戸９が開放される。
【０１６４】
こうして引戸９が開扉されると、ラッチロック８４はラッチスプリング１０５の弾性によって図１２の解錠時と略同様の状態を維持し、マグネット１０２の吸着面が角穴６８の開口部に位置する。
また、ラッチキャッチ８３はラッチスプリング９５の弾性によって枢軸８７を支点に図１２上反時計方向へ回動し、ラッチ制御ボックスＬ1内の前後方向へ斜状に位置して静止し、マグネット９０が角穴６７の後方に位置する。この状況は図１５および図１６（ｂ）のようである。したがって、この後、引戸９の開放スペ−スからの出入りが可能になる。
【０１６５】
一方、このようにレバ−ハンドル２７を開扉回動すると、駆動カム１９０の平坦面１９０ａの端部がロックプレ−ト１０６の屈曲片１４２に係合し、ロックプレ−ト１０６をロックバネ１４７に抗して押し上げる。
そして、ロックピン１７３のカムフランジ１７７，１７８がロック孔１３５，１３６の開口縁部１３５ａ，１３６ａに係合して、ロックプレ−ト１０６の上動が阻止される。
【０１６６】
また、レバ−ハンドル２７を前述のように開扉回動し、駆動カム１９０を同動させると、該駆動カム１９０の平坦面１９０ａに載置した張出片１５６を介して、リセット板１０７がリセットバネ１５９に抗して押し上げられる。
このため、リセットバネ１５５がリセット板１０７と同動し、その端末部がロックピン１７３ないしコーンフランジ１７６から離間し、それらの係合を解除する。
【０１６７】
そして、各ロックピン１７３がロックスプリング１６２によってボタンバネ１１６に抗して押し上げられ、コーンフランジ１７６の小径部側にリセットバネ１５５が係合し、各ロックピン１７３が暗証入力時の原状を回復する。
したがって、この後、レバ−ハンドル２７を原位置に復帰回動し、引戸９を閉鎖しても錠前２５の暗証入力情報が維持され、その施錠状態を形成可能になる。
【０１６８】
一方、引戸９の開放後、該引戸９を外側から閉扉すると、引戸８，９の縦枠１１，１７が対向し、該縦枠１１，１７に取付けたフロント板４７，４８の角穴６７，６８が対向して、角穴６７の後方のマグネット９０と、角穴６８の開口部のマグネット１０２とが互いに吸引し合う。
その際、前述のようにラッチロック８４のマグネット１０２の吸着面は角穴６８の開口部に位置し、ラッチキャッチ８３のマグネット９０の吸着面は角穴６７の後方に位置しているから、引戸８，９を容易に開閉し得る。
【０１６９】
こうして、マグネット９０，１０２を対向させると、前述のようにラッチスプリング９５の強さはラッチスプリング１０５に比べて非常に強く、またマグネット９０，１０２の磁力に顕著な差異はないから、すなわち略同一であるから、ラッチロック８４がラッチスプリング１０５の弾性に抗して枢軸９８，９８を支点にラッチキャッチ８３側へ吸引移動し、マグネット１０２が角穴６８を越えて角穴６７の内側へ進入し、マグネット９０の吸着面に吸着する。
【０１７０】
この状況は図４のようで、ラッチロック８４の下端部が角穴６７の内側へ進入し、引戸８，９の開放を阻止するとともに、マグネット１０２がマグネット９０に吸着してラッチロック８４とラッチキャッチ８３の協働関係を強化しているから、屋外のレバ−ハンドル２７を回動操作し、または左右方向へ引き動かそうとしても、引戸８，９を開放することはできず、実質的な施錠状態を形成する。
【０１７１】
その際、ラッチロック８４の下端部が係止片６９，７０に係合可能に位置するから、施錠時におけるラッチロック８４の位置が安定し、マグネット１０２，９０の安定した吸着を促す。すなわち、引戸９の閉扉後、自動的に施錠され、内外からの引戸８，９の開放が阻止される。
【０１７２】
なお、錠前２５のボタン錠の暗証情報は、長期間の使用によって察知される惧れがあるため、定期的に変更することが望ましい。
その場合は、引戸９から錠前２５を取外し、カバ−プレ−ト１０８の裏面に表出したロックピン１７３のうち、新たな暗証情報に対応するロックピン１７３の暗証表示スリット１８０を前記プレ−ト１０８の内側に位置付け、それ以外のロックピン１７３は、暗証表示スリット１８０を前記プレ−ト１０８の外側に位置付ける。この変更作業は暗証情報入力時と同様の要領で行ない、暗証情報変更後、錠前２５を引戸９に取付ければ良い。
【０１７３】
このように本発明による引戸錠は、従来の本締錠を要することなく、部品点数を低減し構成の簡潔化して、小形軽量化と低廉化並びに体裁の向上を図り、しかも閉扉時の自動施錠を速やかに実現して、使用上の利便性と安全性を向上し得るものである。  
【０１７４】
図４４乃至図５５は本発明の他の実施形態を示し、前述の実施形態の構成と対応する構成部分に同一の符号を用いている。
このうち、図４４は本発明の第２の実施形態を示し、この実施形態は屋外側の引戸９にラッチ制御ボックスＬ1を設け、その内部にラッチキャッチ８３を配置し、屋内側の引戸８にラッチ制御ボックスＬ2を設け、その内部にラッチロック８４を配置し、多様な取付けに対応可能にしている。
【０１７５】
図４５および図４６は本発明の第３の実施形態を示し、この実施形態は引き違い戸の代わりに、単一の引戸９の開閉に本発明を適用している。
すなわち、引戸９の閉扉時における縦枠１７の内側の対向位置に、前記縦枠１１と同様な支持枠２０５を不動に立設し、該支持枠２０５にラッチ制御ボックスＬ1を前述同様に設け、制御ボックスＬ1に回動軸７７を回動可能に支持し、該回動軸７７の角孔７９に、支持枠２０５の内側からレバ−ハンドル３０の先端部と同軸の角芯棒２８を嵌合し、縦枠１７にラッチ制御ボックスＬ2を前述同様に設けている。図中、２０６はレバ−ハンドル３０の抜け止め用の止輪である。
【０１７６】
そして、引戸９の閉扉時にラッチロック８４を角穴６７の内側に突出して施錠状態を形成し、引戸９の閉鎖状態を拘束するとともに、屋内側のレバ−ハンドル３０を回動して前述のように解錠し、解錠後は引戸９の内側の手掛け部（図示略）を利用して、引戸９を屋内側から開放可能にしている。
一方、引戸９を屋外側から開放する場合は、前述のように錠前２５を解錠し、解錠後、屋外側のレバ−ハンドル２７を回動して引戸９を開放可能にしている。
【０１７７】
図４７乃至図４９は本発明の第４の実施形態を示し、この実施形態は屋外側の引戸９に設けた錠前２５として、ボタン錠の代わりにシリンダ錠を使用し、容易かつ低廉に製作し得るようにしている。
すなわち、屋外側の引戸９の縦枠１７の中高位置にシリンダ錠を取付け、その内側のシリンダケース１９７にシリンダ１９８を回動可能に設け、該シリンダ１９８の内部に設けたキー孔１９９にキ−２００を差し込み、シリンダ１９８を回動可能にしている。
【０１７８】
前記シリンダ１９８の後端部は角形に形成され、この角形部１９８ａにシリンダプラグ２０１の角穴２０２が嵌合している。前記シリンダプラグ２０１の後部に軸筒部２０３が突設され、該軸筒部２０３の内部に角孔２０４が形成され、該角孔２０４に角芯棒２９が嵌合している。
すなわち、キ−２００をキー孔１９９に差し込んでシリンダ１９８を回動し、軸筒部２０３内に嵌合した角芯棒２９を回動し、その回動力をカム軸７８に伝達可能にしている。
図中、２０７はシリンダ錠の直下に設けた凹状の引手である。
【０１７９】
図４９乃至図５５は本発明の第５の実施形態を示し、この実施形態はラッチキャッチ８３とラッチロック８４の強度を強化するとともに、これらとカム軸７７，７８との係合強度を強化し、更にラッチロック８４と角孔６７との係合を確実かつ強化し、施錠時における防御能力を強化している。
すなわち、この実施形態は、前述の実施形態に比べボックス本体４５，４６の上下寸法を大形化し、具体的にはパイプネジ３１，３３より下方の寸法を長尺にするとともに、角孔６７，６８の上下寸法を大形化している。
【０１８０】
また、ラッチキャッチ８３とラッチロック８４の係合溝８６，９７を、凹状曲面の代わりに中空筒状に構成し、その筒状内部にカム軸７７，７８を係合可能に挿入し、係合溝８６，９７の強度を強化するとともに、ラッチキャッチ８３とラッチロック８４の揺動によるカム軸７７，７８からの離脱を阻止し、カム軸７７，７８との係合関係を確実かつ強化するようにしている。
図中、２０８はラッチロック８４の下端部に下方に突出成形したテ−ルで、両側を開口し、その中間部を支持枠で補強していて、直下のフック２０９に係合可能に配置されている。
【０１８１】
前記フック２０９はステンレス鋼板をプレス成形して略Ｚ字形断面に成形され、その両端部に第１係止片２１０と第２係止片２１１とが反対方向に略直角に屈曲して形成され、一方の第１係止片２１０がボックス本体４５の下端部に配置され、角孔６７の開口縁と係合可能に配置されていて、他方の第２係止片２１１がボックス本体４６の下端部に配置されている。
前記第１係止片２１０の両側に略半月状の一対の支持板２１２が対向して突設され、該支持板２１２に軸孔２１３が形成され、該軸孔２１３に後述の枢軸を挿入している。
【０１８２】
一方、ボックス本体４５，４６の両側片の下端部に通孔２１４が形成され、この一方の通孔２１４、実施形態では引戸９側に配置したボックス本体４５の通孔２１４にステンレス鋼線製の枢軸２１５が挿入され、該枢軸２１５を中心にフック２０９を回動可能に支持している。
前記枢軸２１５に捩りバネであるステンレス鋼線製のフックスプリング２１６が装着され、該スプリング２１６の一端をボックス本体４６の下端部内面に係合し、その他端をフック２０９の下面に係合し、その弾性によってフック２０９を枢軸２１５を中心に外側へ回動可能に付勢し、該フック２０９の上面をテ−ル２０８の下端部に係合可能にしている
【０１８３】
この実施形態の施錠時におけるラッチキャッチ８３とラッチロック８４の基本的な作動は、前述の実施形態と同様である。
すなわち、前記ラッチキャッチ８３は、ラッチスプリング９５の弾性によって枢軸８７を支点に引戸８の内側へ回動し、下端部のマグネット９０が角孔６７の後方、つまりボックス本体４５内に位置して、ラッチキャッチ８３の大半部が引戸８内に斜状に位置している。
前記ラッチキャッチ８３の下端部は、ボックス本体４５の内面に係合可能に位置して回動角度を規制され、前記マグネット９０に吸着するラッチロック８４の姿勢を維持するようにしている。
【０１８４】
一方、屋外側のレバ−ハンドル２７は施錠時に垂直状態に置かれ、該ハンドル２７に連係するカム軸７８とカム８２、角芯棒２９が回動角度０°状態に置かれ、カム８２の両端部が係止爪９６ａと離間し、それらの係合を解除可能にしている。
そして、ラッチロック８４の下端部のマグネット１０２が、ラッチスプリング１０５の弾性に抗してラッチキャッチ８３のマグネット９０に吸着し、前記マグネット１０２が角孔６７の後方に突出し、角孔６７の開口縁と内側の係止片６９，６９とに係合可能に位置して、引戸８，９の移動ないし開閉を阻止し施錠状態を形成可能にしている。この状況は図５０および図５４（ａ）のようである。
【０１８５】
その際、フック２０９は、フックスプリング２１６の弾性によって枢軸２１５を中心に引戸９側へ回動可能に付勢され、その上面が引戸８側に斜め上向きに位置してテ−ル２０８の下端部に接触し、ラッチロック８４の静止を促している。
実施形態では施錠時におけるラッチロック８４の静止位置を、テ−ル２０８とカバ−本体４６との交角αを１５°に設定している。
前記引戸８，９間に亘ってフック２０９が掛け渡され、一方の第１係止片２１０が引戸８側に位置して、角孔６７の開口縁の直後に離間して配置され、他方の第２係止片２１１がテ−ル２０８の下端部から離間して上向きに突出している。
【０１８６】
このような施錠状態から解錠する場合は、前述のように屋内側または屋外側から実行可能にされ、屋内側からはレバ−ハンドル３０を回動操作することによって解錠可能にされ、屋外側からは錠前２５の解錠操作後、レバ−ハンドル２７を回動操作することによって解錠可能にされ、これらの解錠操作においてラッチキャッチ８３とラッチロック８４とが協働可能に構成されている。
【０１８７】
このうち、屋内側から解錠する場合は、屋内側のレバ−ハンドル３０を回動操作し、これに角芯棒２８とカム軸７７を同動させてカム８１を回動し、かつ係止爪８５ａを押し下げて、枢軸８７を支点にラッチキャッチ８３を図５４（ａ）上時計方向へ回動し、マグネット９０の吸着面を引戸８，９の間に表出して解錠可能にする。
前記ラッチキャッチ８３の回動に伴ない、マグネット９０に吸着したマグネット１０２を介し、ラッチロック８４が枢軸９８を支点に同方向へ押し動かされ、その下端部とテ−ル２０８の一端面がボックス本体４６の奥部内面に係合して静止する。したがって、テ−ル２０８とカバ−本体４６との交角αは０°である。
【０１８８】
この状況は図５４（ｂ）のようで、この解錠時はマグネット１０２の吸着面が引戸８，９の間に表出し、該マグネット１０２にマグネット９０の吸着面が略垂直に位置している
その際、前記ラッチロック８４の回動によって、テ−ル２０８の下端部がフック２０９の第２係止片２１１に係合し、該フック２０９がフックスプリング２１６の弾性によって、枢軸２１５を中心に図５４（ａ）上反時計方向へ回動して起立し、その上半部をテ−ル２０８の他端面に係合し、該テ−ル２０８をカバ−本体４６の奥部内面に押圧して保持する。
【０１８９】
一方、屋外側から解錠する場合は、錠前２５の解錠後、屋外側のレバ−ハンドル２７を回動操作し、これに角芯棒２９とカム軸７８を同動させてカム８２を回動し、かつ係止爪９６ａを押し上げて、ラッチロック８４を枢軸９８を支点に図５４（ａ）上時計方向へ回動し、マグネット９０の吸着面を引戸８，９の間に突出して解錠可能にする。その際のフック２０９の作動は前述と同様である。
【０１９０】
前記解錠後、内または外側のレバ−ハンドル３０，２７を保持し、引戸８または引戸９を開方向へ引き動かせば開扉可能になる。
例えば外側のレバ−ハンドル２７を保持し、引戸９を開方向、つまり図１上左方向へ引き動かすと、マグネット１０２がマグネット９０の吸着面を摺動して引き離され、マグネット９０の磁界から解放される。
その際、ラッチロック８４は、ラッチスプリング１０５の弾性による枢軸９８の周りのモ−メントと、ラッチロック８４の重量による枢軸９８の周りのモ−メントとが拮抗しているため、解錠時と同様な状態を保持する。
この場合、引戸９を図１上左方向へ引き動かす代わりに、引戸８を図１上右方向へ引き動かしても良い。
【０１９１】
一方、ラッチキャッチ８３は、マグネット９０がマグネット１０２の磁界から解放され、ラッチスプリング９５の弾性によって枢軸８７を支点に図５４（ｂ）上反時計方向へ回動してマグネット１０２から離反し、ラッチキャッチ８３の重量による枢軸８７の周りのモ−メントと拮抗したところで回動を停止し、この状態を保持する。
この場合、ラッチキャッチ８３が前述のように回動し、マグネット９０がマグネット１０２から離反しても、これが専らラッチスプリング９５の弾性によるため、ラッチロック８４は解錠時と同様な状態を維持し、フック２０９に保持される。
【０１９２】
この後、引戸９を全開することによって開扉状況が形成され、人の出入りが可能になる  この状況は図５４（ｃ）のようである。
この状況は内側のレバ−ハンドル３０を保持し、引戸８を開方向へ引き動かして開放する場合も同様である。
【０１９３】
こうして、引戸９を開放後、引戸９を閉鎖する場合は、例えばレバ−ハンドル２７を保持し、引戸９を閉方向、つまり図１上右方へ引き動かす。
このようにすると、縦枠１７が内側の引戸８の縦枠１１の対向位置に移動し、マグネット１０２，９０の磁界が互いに影響し合い、それらの磁力が復活して、弾性の小さなラッチスプリング１０５を備えたラッチロック８４がマグネット９０に吸引され、枢軸９８を支点に図５４（ｃ）上反時計方向へ回動し、テ−ル２０８がフック２０９を後方へ押圧する。
【０１９４】
このため、フック２０９がフックスプリング２１６の弾性に抗して枢軸２１５を支点に図５４（ｃ）上時計方向へ回動し、閉扉開始直後はラッチロック８４がカバ−本体４６の奥部から離間し、第１係止片２１０が引戸８の角孔６７内に進入する。
この状況は図５４（ｄ）のようで、テ−ル２０８とカバ−本体４６との交角αが５°の状況を示している。
この後、ラッチロック８４がマグネット９０側へ吸引移動し、フック２０９が更に同方向へ回動して略水平状態を回復し、その第２係止片２１１がテ−ル２０８の下端部に係合する。
この状況は図５４（ｅ）のようで、テ−ル２０８がカバ−本体４６の奥部から更に離間し、テ−ル２０８とカバ−本体４６との交角αが１０°に形成されている。
【０１９５】
この後、ラッチロック８４がマグネット９０側へ更に吸引移動し、テ−ル２０８の下端部がフック２０９上を引戸８側へ移動し、マグネット１０２がラッチキャッチ８３のマグネット９０に吸着して、図４および図５４（ａ）と同様な施錠状態を形成する。
前記施錠時には、テ−ル２０８とカバ−本体４６との交角αが１５°に形成される。
このように、この実施形態はラッチロック８４の下端部にテ−ル２０８を突設し、一方の引戸９の制御ボックスＬ2にフック２０９を回動可能に設け、テ−ル２０８の下端部をフック２０９に回動可能に配置して、ラッチキャッチ８３とラッチロック８４との近接離反動を円滑かつ正確に行なえるようにしている。
【０１９６】
一方、この実施形態は、施錠時における種々の不正操作ないし悪戯に有効に対応し、高い防御能力を得られる。
例えば図５５（ａ）のように外側の引戸９が不正に外側へ引張られて同方向へ変位し、或いは同時に内側の引戸８が不正に内側へ押圧されて同方向へ変位し、引戸８，９の隙間ｅが所定値以上に拡大した場合、フック２０９が引戸９に同動して第１係止片２１０が角孔６７の開口縁に係合し、引戸９の外側への変位を阻止する。
したがって、引戸９または８の不正操作によって、引戸８，９の隙間ｅが過大に形成されても、マグネット１０２がマグネット９０から引き離され、ラッチキャッチ８３とラッチロック８４とが離間して、ラッチロック８４による施錠が解除され、またその保持が消失する、事態を未然に防止する。
【０１９７】
また、図５５（ｂ）のように引戸８，９の建て付けが悪く、或いは内側の引戸８が外側へ不正に押圧若しくは引張られて同方向へ変位し、引戸８，９の隙間ｅが微小な場合、引戸８と同動するラッチキャッチ８３がマグネット９０，１０２を介してラッチロック８４を同方向へ押し動かし、テ−ル２０８の下端部が係止片２１１に係合して同方向の変位を阻止する。
したがって、引戸８，９の建て付け不良や引戸８の不正操作によって、引戸８，９の円滑な開閉が妨げられる事態を未然に防止する。
【０１９８】
更に、図５５（ｃ）のように引戸９が不正に上方に引っ張られ、引戸８，９が上下に変位して図示のように引戸９が上方へΔ変位し、或いは同時に引戸９が外側へ不正に引っ張られて、引戸８，９の隙間ｅが所定値以上に拡大した場合、ラッチロック８４のマグネット１０２を収容するボスの外周が、ラッチキャッチ８３側の角孔６７の上側の開口縁に係合して引戸９の上方への引き抜きを阻止し、またフック２０９の第１係止片２１０が角孔６７の下側の開口縁に係合し、その係合代によって引戸９の外側への引き抜きを阻止する
したがって、不正操作または悪戯による引戸８，９の上下方向の強引なこじ開けを阻止する。
【産業上の利用可能性】
【０１９９】
このように本発明の引戸錠は、部品点数を低減し構成を簡潔化して小形軽量化と体裁の向上を図れるとともに、閉扉時の自動施錠を速やかに実現し使用上の利便性と安全性を向上し、しかも防御能力を強化し得るから、例えば家庭や工場、事務所や駅舎内の引き違い戸や片開き式の引戸錠に好適である。
【符号の説明】
【０２００】
８，９          引戸
１１，１７      縦枠
２５            錠前（キーレス錠、シリンダ錠）
２７，３０      レバ−ハンドル
２８，２９      角芯棒
６７，６８      開口部（角孔）
７７，７８      カム軸
８１，８２      回動カム
【０２０１】
８３            ラッチキャッチ
８４            ラッチロック
８５ａ，９６ａ  係止爪
９０，１０２    マグネット
９１，１０３    ビス
１０６          ロックプレ−ト
Ｌ1，Ｌ2        ラッチ制御ボックス
【０２０２】
１３５，１３６  ロック孔
１７３          ロックピン
２０５          支持枠
２０８          テ−ル
２０９          フック
２１０          第１係止片
２１１          第２係止片
【図１】
2014012949.tif 000003
【図２】
2014012949.tif 000004
【図３】
2014012949.tif 000005
【図４】
2014012949.tif 000006
【図５】
2014012949.tif 000007
【図６】
2014012949.tif 000008
【図７】
2014012949.tif 000009
【図８】
2014012949.tif 000010
【図９】
2014012949.tif 000011
【図１０】
2014012949.tif 000012
【図１１】
2014012949.tif 000013
【図１２】
2014012949.tif 000014
【図１３】
2014012949.tif 000015
【図１４】
2014012949.tif 000016
【図１５】
2014012949.tif 000017
【図１６】
2014012949.tif 000018
【図１７】
2014012949.tif 000019
【図１８】
2014012949.tif 000020
【図１９】
2014012949.tif 000021
【図２０】
2014012949.tif 000022
【図２１】
2014012949.tif 000023
【図２２】
2014012949.tif 000024
【図２３】
2014012949.tif 000025
【図２４】
2014012949.tif 000026
【図２５】
2014012949.tif 000027
【図２６】
2014012949.tif 000028
【図２７】
2014012949.tif 000029
【図２８】
2014012949.tif 000030
【図２９】
2014012949.tif 000031
【図３０】
2014012949.tif 000032
【図３１】
2014012949.tif 000033
【図３２】
2014012949.tif 000034
【図３３】
2014012949.tif 000035
【図３４】
2014012949.tif 000036
【図３５】
2014012949.tif 000037
【図３６】
2014012949.tif 000038
【図３７】
2014012949.tif 000039
【図３８】
2014012949.tif 000040
【図３９】
2014012949.tif 000041
【図４０】
2014012949.tif 000042
【図４１】
2014012949.tif 000043
【図４２】
2014012949.tif 000044
【図４３】
2014012949.tif 000045
【図４４】
2014012949.tif 000046
【図４５】
2014012949.tif 000047
【図４６】
2014012949.tif 000048
【図４７】
2014012949.tif 000049
【図４８】
2014012949.tif 000050
【図４９】
2014012949.tif 000051
【図５０】
2014012949.tif 000052
【図５１】
2014012949.tif 000053
【図５２】
2014012949.tif 000054
【図５３】
2014012949.tif 000055
【図５４】
2014012949.tif 000056
【図５５】
2014012949.tif 000057